(57)【特許請求の範囲】
【請求項１】
フレーバーを放出するためのシステムであって、
各々の内部にフレーバー材料を収容している複数のカプセルをそれぞれ受容するように適合された複数の区画と、
前記複数の区画と流体連通する混合チャンバを備え、かつ、少なくとも１つのフレーバー材料から得られた流体を環境内に分配するように構成されたディスペンサシステムと、
前記複数のカプセルそれぞれから物質の流れを生成するため、各カプセルに対して設けられたファンまたはブロワと、
前記区画のうちの少なくとも２つの選択に関連するデータおよび混合比率に関するデータを受信するように、および前記選択された区画のカプセル内に収容されているフレーバー材料から得られた流体を分配するよう前記ディスペンサシステムに信号を送るように、さらに前記流体の量を制御するため、個々の前記カプセルの前記ファンまたはブロワの回転速度を前記混合比率に応じて個別に制御するように構成された、制御装置と、を備えるシステム。
【請求項２】
前記複数のカプセルのうちの少なくとも２つの各々が、中に異なるフレーバー材料を収容する、請求項１に記載のシステム。
【請求項３】
前記複数のカプセルのうちの少なくとも２つの各々が、同じフレーバー材料を異なる濃度で収容する、請求項１または２に記載のシステム。
【請求項４】
前記ディスペンサシステムが複数の分配要素を備え、前記制御装置が、異なるカプセル内に収容されているフレーバー材料から得られた流体を分配するように、各分配要素に信号を送る、請求項１に記載のシステム。
【請求項５】
前記ディスペンサシステムが複数の分配要素を備え、前記制御装置が、異なるカプセル内に収容されているフレーバー材料から得られた流体を分配するように、各分配要素に信号を送る、請求項２または３に記載のシステム。
【請求項６】
前記ディスペンサシステムが、それぞれの区画と前記環境との間に流体連通を形成する少なくとも１つの流体チャネルを備え、前記制御装置が、前記少なくとも１つの流体チャネルを開放および閉鎖し、このことにより前記流体連通を確立または防止するように構成される、請求項１に記載のシステム。
【請求項７】
前記ディスペンサシステムが、それぞれの区画と前記環境との間に流体連通を形成する少なくとも１つの流体チャネルを備え、前記制御装置が、前記少なくとも１つの流体チャネルを開放および閉鎖し、このことにより前記流体連通を確立または防止するように構成される、請求項２または３に記載のシステム。
【請求項８】
前記ディスペンサシステムが、それぞれの区画と前記混合チャンバとの間に流体連通を形成する少なくとも１つの流体チャネルを備え、前記制御装置が、前記少なくとも１つの流体チャネルを開放および閉鎖し、このことにより前記流体連通を確立または防止するように構成される、請求項１〜７のいずれか一項に記載のシステム。
【請求項９】
ユーザが前記システムの操作を、温度、音楽または騒音、アラーム、湿度、および照明からなるグループから選択された雰囲気に効果を及ぼすものと組み合わせることができるように構成された通信システムを備える、請求項１〜８のいずれか一項に記載のシステム。
【請求項１０】
前記区画に収容されるカプセルの識別タグからデータを読み取るため、前記区画の少なくとも１つに設けられるタグ読み取り回路を備える、請求項１〜９のいずれか一項に記載のシステム。
【請求項１１】
前記量の前記制御が、異なる継続時間にわたって異なる流体を放出することによるものである、請求項１〜１０のいずれか一項に記載のシステム。
【請求項１２】
各カプセルの重量を個別に測定するように構成された重量測定デバイスをさらに備える、請求項１に記載のシステム。
【請求項１３】
各カプセルの重量を個別に測定するように構成された重量測定デバイスをさらに備える、請求項２〜１１のいずれか一項に記載のシステム。
【請求項１４】
（ｉ）前記制御装置および／または前記ディスペンサシステムを作動させること、（ｉｉ）前記制御装置および／または前記ディスペンサシステムを非作動化させること、ならびに（ｉｉｉ）前記選択データを入力することのうちの少なくとも１つを行うように構成されたユーザインターフェースをさらに備える、請求項１に記載のシステム。
【請求項１５】
（ｉ）前記制御装置および／または前記ディスペンサシステムを作動させること、（ｉｉ）前記制御装置および／または前記ディスペンサシステムを非作動化させること、ならびに（ｉｉｉ）前記選択データを入力することのうちの少なくとも１つを行うように構成されたユーザインターフェースをさらに備える、請求項２〜１３のいずれか一項に記載のシステム。
【請求項１６】
各カプセルの重量を個別に測定するように構成された重量測定デバイスをさらに備え、前記制御装置が、前記重量測定デバイスから重量データを受信するように、および前記重量データに基づいて前記量を制御するように構成される、請求項１に記載のシステム。
【請求項１７】
前記混合比率を入力するように構成されたユーザインターフェースをさらに備える、請求項１〜１４のいずれか一項に記載のシステム。
【請求項１８】
封入体の中に封入されており、前記ユーザインターフェースが前記封入体上に装着される、請求項１５および１７のいずれか一項に記載のシステム。
【請求項１９】
遠隔のユーザインターフェースと通信するように構成された通信システムをさらに備える、請求項１に記載のシステム。
【請求項２０】
遠隔のユーザインターフェースと通信するように構成された通信システムをさらに備える、請求項２〜１８のいずれか一項に記載のシステム。
【請求項２１】
前記ディスペンサシステムが、前記フレーバー材料を加熱して前記流体を形成するように構成される、請求項１に記載のシステム。
【請求項２２】
前記ディスペンサシステムが、前記フレーバー材料を加熱して前記流体を形成するように構成される、請求項２〜２０のいずれか一項に記載のシステム。
【請求項２３】
前記加熱が炎によるものである、請求項２１に記載のシステム。
【請求項２４】
前記加熱が炎によるものである、請求項２２に記載のシステム。
【請求項２５】
前記加熱が抵抗ヒータによるものである、請求項２１に記載のシステム。
【請求項２６】
前記加熱が抵抗ヒータによるものである、請求項２２に記載のシステム。
【請求項２７】
前記ディスペンサシステムが、前記フレーバー材料に超音波を当て、このことにより前記流体を分配するように構成される、請求項１に記載のシステム。
【請求項２８】
前記ディスペンサシステムが、前記フレーバー材料に超音波を当て、このことにより前記流体を分配するように構成される、請求項２〜２６のいずれか一項に記載のシステム。
【請求項２９】
前記ディスペンサシステムが、前記フレーバー材料に気体の流れを当て、このことにより前記流体を分配するように構成される、請求項１に記載のシステム。
【請求項３０】
前記ディスペンサシステムが、前記フレーバー材料に気体の流れを当て、このことにより前記流体を分配するように構成される、請求項２〜２８のいずれか一項に記載のシステム。
【請求項３１】
前記ディスペンサシステムが霧化器を備える、請求項１に記載のシステム。
【請求項３２】
前記ディスペンサシステムが霧化器を備える、請求項２〜３０のいずれか一項に記載のシステム。
【請求項３３】
前記ディスペンサシステムが加湿器を備える、請求項１に記載のシステム。
【請求項３４】
前記ディスペンサシステムが加湿器を備える、請求項２〜３２のいずれか一項に記載のシステム。
【請求項３５】
前記ディスペンサシステムがブロワまたはファンを備える、請求項１に記載のシステム。
【請求項３６】
前記ディスペンサシステムがブロワまたはファンを備える、請求項２〜３２のいずれか一項に記載のシステム。
【請求項３７】
前記カプセルのうちの少なくとも１つが、室温のとき固体状態である前記フレーバー材料を収容する、請求項１に記載のシステム。
【請求項３８】
前記カプセルのうちの少なくとも１つが、室温のとき固体状態である前記フレーバー材料を収容する、請求項２〜３４のいずれか一項に記載のシステム。
【請求項３９】
前記カプセルのうちの少なくとも１つが、室温のとき液体状態である前記フレーバー材料を収容する、請求項１に記載のシステム。
【請求項４０】
前記カプセルのうちの少なくとも１つが、室温のとき液体状態である前記フレーバー材料を収容する、請求項２〜３８のいずれか一項に記載のシステム。
【請求項４１】
前記カプセルのうちの少なくとも１つが、室温のとき気体状態である前記フレーバー材料を収容する、請求項１に記載のシステム。
【請求項４２】
前記カプセルのうちの少なくとも１つが、室温のとき気体状態である前記フレーバー材料を収容する、請求項２〜４０のいずれか一項に記載のシステム。
【請求項４３】
前記カプセルのうちの少なくとも１つの中の前記フレーバー材料が香料である、請求項１に記載のシステム。
【請求項４４】
前記カプセルのうちの少なくとも１つの中の前記フレーバー材料が香料である、請求項２〜４２のいずれか一項に記載のシステム。
【請求項４５】
請求項１に記載のシステム内に、中にフレーバー材料を各々収容する複数のカプセルを装填することと、前記システムを作動させて、前記カプセルのうちの少なくとも１つの中に収容されているフレーバー材料から得られた流体を分配することと、を含む、フレーバーを環境内に放出する方法。
【請求項４６】
請求項２〜４４のいずれか一項に記載のシステム内に、中にフレーバー材料を各々収容する複数のカプセルを装填することと、前記システムを作動させて、前記カプセルのうちの少なくとも１つの中に収容されているフレーバー材料から得られた流体を分配することと、を含む、フレーバーを環境内に放出する方法。
【請求項４７】
前記環境が居間である、請求項４５に記載の方法。
【請求項４８】
前記環境が居間である、請求項４６に記載の方法。
【請求項４９】
前記環境が寝室である、請求項４５に記載の方法。
【請求項５０】
前記環境が寝室である、請求項４６に記載の方法。
【請求項５１】
前記環境が台所である、請求項４５に記載の方法。
【請求項５２】
前記環境が台所である、請求項４６に記載の方法。
【請求項５３】
前記環境が手洗所である、請求項４５に記載の方法。
【請求項５４】
前記環境が手洗所である、請求項４６に記載の方法。
【請求項５５】
前記環境がホテルの部屋である、請求項４５に記載の方法。
【請求項５６】
前記環境がホテルの部屋である、請求項４６に記載の方法。
【請求項５７】
前記環境がロビーである、請求項４５に記載の方法。
【請求項５８】
前記環境がロビーである、請求項４６に記載の方法。
【請求項５９】
前記環境が待合室である、請求項４５に記載の方法。
【請求項６０】
前記環境が待合室である、請求項４６に記載の方法。
【請求項６１】
前記環境がオフィスである、請求項４５に記載の方法。
【請求項６２】
前記環境がオフィスである、請求項４６に記載の方法。
【請求項６３】
前記環境がレストランである、請求項４５に記載の方法。
【請求項６４】
前記環境がレストランである、請求項４６に記載の方法。
【請求項６５】
前記環境がマッサージパーラーである、請求項４５に記載の方法。
【請求項６６】
前記環境がマッサージパーラーである、請求項４６に記載の方法。
【請求項６７】
前記環境が乗り物である、請求項４５に記載の方法。
【請求項６８】
前記環境が乗り物である、請求項４６に記載の方法。
【発明の詳細な説明】
【技術分野】
【０００１】
本発明は、そのいくつかの実施形態では、環境内への流体の放出に、より具体的には、これに限られるものではないが、フレーバーを放出するためのシステムおよび方法に関する。
【背景技術】
【０００２】
人が集まる場所には、様々な匂い、フレグランスなどが存在するものである。住宅所有者および企業が快適な匂い環境を維持しようと苦労することは一般的なことである。家庭および事業所には、料理、個人用衛生製品、ペットの存在、およびタバコの煙など、様々な事物からの匂いが存在し得る。これらの種類の匂いは多くの場合、除去するのが難しい。
【０００３】
アロマ放出デバイスは周知であり、所与のエリア内の人に快適な空気を提供するために、家庭および商業施設内で一般に使用されている。そのようなデバイスは、アロマを周囲全般に受動的にまたは能動的に届ける。
【０００４】
受動的なデバイスの例には、エアーウィック、香り付きゲルパック、およびアロマスティックが含まれる。アロマスティックは、アロマ液の瓶の中に静置されこの瓶から突き出ており、スティックを通して液が吸収され引き上げられると、スティックの表面から液が蒸発するようになっている。能動的なアロマデバイスのある種類のものは、電源コンセントにプラグ接続されると、小型の加熱要素がアロマ液を収容している部材を加熱し、このことにより液の蒸発および隣接環境内への流出をもたらす。能動的なアロマデバイスの別の例は、電池または壁コンセントによって電力供給され、室内に定期的にアロマミストを噴霧する。
【０００５】
アロマデバイスは一般に個人によって使用され、選択された様々な香りが楽しまれている。さらに、そのようなアロマデバイスの使用が、特定の環境内における個人の一般的な振る舞いを改善または向上させることが見出されている。特定の香りが人の気分の望ましい変化を引き起こすことが、一般に見出されている。
【発明の概要】
【０００６】
本発明のいくつかの実施形態の態様によれば、フレーバーを放出するためのシステムが提供される。システムは、各々の内部にフレーバー材料を収容している複数のカプセルをそれぞれ受容するように適合された複数の区画と、少なくとも１つのフレーバー材料から得られた流体を環境内に分配するように構成されたディスペンサシステムと、区画のうちの少なくとも２つの選択に関連するデータを受信するように、および選択された区画のカプセル内に収容されているフレーバー材料から得られた流体を分配するようディスペンサシステムに信号を送るように構成された、制御装置と、を備える。
【０００７】
本発明のいくつかの実施形態によれば、複数のカプセルのうちの少なくとも２つの各々は、中に異なるフレーバー材料を収容する。
【０００８】
本発明のいくつかの実施形態によれば、複数のカプセルのうちの少なくとも２つの各々は、同じフレーバー材料を異なる濃度で収容する。
【０００９】
本発明のいくつかの実施形態によれば、ディスペンサシステムは、複数の分配要素を備え、この場合、制御装置は、異なるカプセル内に収容されているフレーバー材料から得られた流体を分配するように、各分配要素に信号を送る。
【００１０】
本発明のいくつかの実施形態によれば、ディスペンサシステムは、それぞれの区画と環境との間に流体連通を形成する少なくとも１つの流体チャネルを備え、この場合、制御装置は、少なくとも１つの流体チャネルを開放および閉鎖し、このことにより流体連通を確立または防止するように構成される。
【００１１】
本発明のいくつかの実施形態によれば、システムは混合チャンバを備え、この場合、ディスペンサシステムは、それぞれの区画と混合チャンバとの間に流体連通を形成する少なくとも１つの流体チャネルを備え、またこの場合、制御装置は、少なくとも１つの流体チャネルを開放および閉鎖し、このことにより流体連通を確立または防止するように構成される。
【００１２】
本発明のいくつかの実施形態によれば、制御装置は、混合比率に関連するデータを受信するように、および混合比率に応じて流体の量を制御するように、構成される。
【００１３】
本発明のいくつかの実施形態によれば、システムは、各カプセルの重量を個別に測定するように構成された重量測定デバイスを備える。
【００１４】
本発明のいくつかの実施形態によれば、システムは、（ｉ）制御装置および／またはディスペンサシステムを作動させること、（ｉｉ）制御装置および／またはディスペンサシステムを非作動化させること、ならびに（ｉｉｉ）選択データを入力することのうちの少なくとも１つを行うように構成された、ユーザインターフェースを備える。
【００１５】
本発明のいくつかの実施形態によれば、システムは、各カプセルの重量を個別に測定するように構成された重量測定デバイスを備え、この場合、制御装置は、重量測定デバイスから重量データを受信するように、および重量データに基づいて量を制御するように構成される。
【００１６】
本発明のいくつかの実施形態によれば、システムは、混合比率を入力するように構成されたユーザインターフェースを備える。
【００１７】
本発明のいくつかの実施形態によれば、システムは、封入体（ｅｎｃａｐｓｕｌａｔｉｏｎ）の中に封入され、この場合、ユーザインターフェースは、封入体上に装着される。
【００１８】
本発明のいくつかの実施形態によれば、システムは、遠隔のユーザインターフェースと通信するように構成された通信システムを備える。
【００１９】
本発明のいくつかの実施形態によれば、ディスペンサシステムは、フレーバー材料を加熱して流体を形成するように構成される。
【００２０】
本発明のいくつかの実施形態によれば、加熱は炎によるものである。
【００２１】
本発明のいくつかの実施形態によれば、加熱は抵抗ヒータによるものである。
【００２２】
本発明のいくつかの実施形態によれば、ディスペンサシステムは、フレーバー材料に超音波を当て、このことにより流体を分配するように構成される。
【００２３】
本発明のいくつかの実施形態によれば、ディスペンサシステムは、フレーバー材料に気体の流れを当て、このことにより流体を分配するように構成される。
【００２４】
本発明のいくつかの実施形態によれば、ディスペンサシステムは、霧化器を備える。
【００２５】
本発明のいくつかの実施形態によれば、ディスペンサシステムは、加湿器を備える。
【００２６】
本発明のいくつかの実施形態によれば、ディスペンサシステムは、ブロワまたはファンを備える。
【００２７】
本発明のいくつかの実施形態によれば、カプセルのうちの少なくとも１つは、室温のとき固体状態であるフレーバー材料を収容する。
【００２８】
本発明のいくつかの実施形態によれば、カプセルのうちの少なくとも１つは、室温のとき液体状態であるフレーバー材料を収容する。
【００２９】
本発明のいくつかの実施形態によれば、カプセルのうちの少なくとも１つは、室温のとき気体状態であるフレーバー材料を収容する。
【００３０】
本発明のいくつかの実施形態によれば、カプセルのうちの少なくとも１つの中のフレーバー材料は、香料である。
【００３１】
本発明のいくつかの実施形態の態様によれば、中にフレーバー材料を各々収容する複数のカプセルを、フレーバーを放出するためのシステム内に装填することと、システムを作動させてカプセルのうちの少なくとも１つの中に収容されているフレーバー材料から得られた流体を分配することと、を含み、フレーバーを放出するためのシステムが上で叙述されたような、および任意選択で以下でさらに詳述されるようなものである、フレーバーを環境内に放出する方法が提供される。
【００３２】
本発明のいくつかの実施形態によれば、環境は居間である。本発明のいくつかの実施形態によれば、環境は寝室である。本発明のいくつかの実施形態によれば、環境は台所である。本発明のいくつかの実施形態によれば、環境は劇場である。本発明のいくつかの実施形態によれば、環境は手洗所である。本発明のいくつかの実施形態によれば、環境はホテルの部屋である。本発明のいくつかの実施形態によれば、環境はロビーである。
【００３３】
本発明のいくつかの実施形態によれば、環境は待合室である。本発明のいくつかの実施形態によれば、環境はオフィスである。
【００３４】
本発明のいくつかの実施形態によれば、環境はレストランである。本発明のいくつかの実施形態によれば、環境はマッサージパーラーである。本発明のいくつかの実施形態によれば、環境は乗り物である。
【００３５】
別様に定義されていない限り、本明細書において用いる全ての技術および／または科学用語は、本発明に関連する技術の当業者が一般に理解するものと同じ意味を有する。本発明の実施形態の実施または試験において、本明細書に記載する方法および材料と類似または同等の方法および材料を用いることができるが、例示的な方法および／または材料を以下に記載する。対立する場合は、定義を含め、特許明細書が優先する。加えて、材料、方法、および例は例示的なものに過ぎず、必ずしも限定的であるように意図されていない。
【００３６】
本発明のいくつかの実施形態は、添付の図面を参照して、単なる例示として、本明細書に記載されている。ここで図面を詳細に具体的に参照するが、示されている詳細は例としてのものであり、本発明の実施形態を例示的に検討することを目的としていることを強調しておく。この点に関して、説明を図面と併せて解釈することにより、本発明の実施形態がどのように実施され得るかが、当業者に明らかになる。
【図面の簡単な説明】
【００３７】
【図１Ａ】本発明のいくつかの実施形態による、環境内にフレーバーを放出するためのシステムの概略の図である。
【図１Ｂ】本発明のいくつかの実施形態による、環境内にフレーバーを放出するためのシステムの画像の図である。
【図２】本発明のいくつかの実施形態による、フレーバーカプセルのパッケージの代表例を示す画像の図である。
【図３Ａ】それぞれの複数の個々のファンによって複数のカプセルから気体が流れる、本発明の実施形態におけるシステムの概略の図である。
【図３Ｂ】それぞれの複数の個々のファンによって複数のカプセルから気体が流れる、本発明の実施形態におけるシステムの概略の図である。
【図３Ｃ】それぞれの複数の個々のファンによって複数のカプセルから気体が流れる、本発明の実施形態におけるシステムの概略の図である。
【図３Ｄ】それぞれの複数の個々のファンによって複数のカプセルから気体が流れる、本発明の実施形態におけるシステムの概略の図である。
【図３Ｅ】それぞれの複数の個々のファンによって複数のカプセルから気体が流れる、本発明の実施形態におけるシステムの概略の図である。
【図３Ｆ】それぞれの複数の個々のファンによって複数のカプセルから気体が流れる、本発明の実施形態におけるシステムの概略の図である。
【図３Ｇ】それぞれの複数の個々のファンによって複数のカプセルから気体が流れる、本発明の実施形態におけるシステムの概略の図である。
【図３Ｈ】それぞれの複数の個々のファンによって複数のカプセルから気体が流れる、本発明の実施形態におけるシステムの概略の図である。
【発明を実施するための形態】
【００３８】
本発明は、そのいくつかの実施形態では、環境への流体の放出に、より具体的には、これに限られるものではないが、フレーバーを放出するためのシステムおよび方法に関する。
【００３９】
本発明の少なくとも１つの実施形態を詳細に説明する前に、本発明はその適用において、以下の説明において明記されるならびに／または図面および／もしくは実施例において例示される、構成要素および／または方法の構造および配置構成の詳細に、必ずしも限定されないことを理解されたい。本発明は、他の実施形態が、または様々な様式での実施もしくは実行が、可能である。
【００４０】
ここで図面を参照すると、図１Ａおよび図１Ｂは、本発明のいくつかの実施形態による、環境内にフレーバーを放出するためのシステム１０の、概略の図（図１Ａ）、および画像（図１Ｂ）である。システム１０は、任意選択でおよび好ましくは、電池によって、および／またはシステムをＤＣもしくはＡＣ電源に接続することによって、電気的に動作する。
【００４１】
システム１０は好ましくは、１つまたは複数の区画１２、好ましくは複数の区画１２を備える。図１Ａは２つの区画を示し、図１Ｂは４つの区画を示すが、システム１０は、いくつかの区画、好ましくは４つ以上の区画を含み得る。
【００４２】
区画の各々は、中にフレーバー材料１６を収容するカプセル１４を受容するように適合される。
【００４３】
図１Ａおよび図１Ｂは、カプセルが区画によって上方から受容される実施形態を示すが、用途によってはカプセルを側方または下方から受容するように区画を構築することが望まれる場合があるので、必ずしもこのようでなくてもよい。本実施形態はまた、１つまたは複数の区画が上方からカプセルを受容し、１つまたは複数の区画が側方からカプセルを受容する構成も企図する。
【００４４】
カプセル中のフレーバー材料は通常、香料である。
【００４５】
本明細書で使用される場合、「香料」は、１種または複数種の匂い成分を含む任意の物質を指す。
【００４６】
本明細書で使用される場合、「匂い成分」は、嗅覚受容体が感知でき、人により匂いがあると知覚される、単分子の物質を指す。本発明のいくつかの実施形態では、匂い成分は、限定するものではないが、動物、昆虫、蜘蛛などを含め、他の生命体にも匂いがあると知覚される。
【００４７】
本実施形態の香料は、天然の（すなわち、花、草、葉、根、樹皮、木質、果樹の花（ｂｌｏｓｓｏｍ）、または植物の抽出によって得られる）、人工の（すなわち、様々な天然のオイルまたはオイル成分の混合物）、および合成の（すなわち合成により生産された）、匂いを発する物質を包含する。香料は、固定剤、増量剤、安定剤、および溶剤などの、補助材料も含んでよい。
【００４８】
香料は通常は心地良いものであるが、好ましいものか不快なものかに関わらず、他の香料も企図される。
【００４９】
カプセルが香料を収容しているとき、システム１０を用いて、環境内の匂いを変えることができる。システム１０が有用である環境の代表例には、限定するものではないが、居間、寝室、台所、手洗所、ホテルの部屋、ロビー、待合室、オフィス、レストラン、マッサージパーラー、乗り物（たとえば乗用車）、劇場などが含まれる。
【００５０】
香料は、当技術分野で知られている、匂い、アロマ、またはフレグランスを付与するのに好適な、任意の天然物質、合成物質、（アルデヒド、ケトン、エステル、および他の化学成分を組み込む）、またはこれらの組み合わせとすることができる。好適な天然および合成香料には、米国食品医薬品局が連邦規則集第２１編１７２．５１０条および１７２．５１５条においてそれぞれ編集したもの、およびＩＦＲＡが編集したものが含まれる。好適な香料には、スパイスオイル、フラワーオイル、およびフルーツオイルが含まれる。香料は、フレグランス成分、たとえばベンズアルデヒド、フェノール、桂皮アルデヒド、およびエステル、オクタジエン、ジエン、シクロヘキサジエン、テルペン、および任意のアロマ原料を含めることができる。
【００５１】
香料は、いくつかの実施形態では、水および／またはアルコールもしくは他の有機溶剤などの担体または香水中に、エッセンシャルオイルを含んでよい。香料は、シトラス、アーモンド、リンゴ、チェリー、ぶどう、洋梨、パイナップル、オレンジ、イチゴ、ラズベリー、およびじゃこうなどの、フルーツおよびベリーの香気のもの、ラベンダー、ばら、アイリス、カーネーション、クチナシ、ティーローズ、すみれ、ヒヤシンス、モクレン、ミモザ、ハニーサックル、ジャスミン、スイセン、オレンジの花、ラン、スイートピー、ゲッカコウ、およびライラックなどの、花の香気のもの、常緑のヒマラヤスギ、マツ、ササフラス、およびトウヒなどの、森および草の香気のもの、スパイス、ペパーミント、バニラ、スペアミントなどの、エッセンシャルオイル、ならびに、皮革、新車の匂い、アカシア、キンゴウカン、シプレ（ｃｙｐｒｅ）、シクラメン、シダ、サンザシ、など、様々な他のフレグランスのものであってよい。
【００５２】
本発明のいくつかの実施形態による、香料が含み得る有効成分の代表例には、限定するものではないが、イスラエルのＡｇａｎ  Ａｒｏｍａが市販する香料を含む。これらは、たとえば、限定するものではないが、１，３，４，６，７，８−ヘキサヒドロ−４，６，６，７，８，８−ヘキサメチル−シクロペンタ−２−ベンゾピラン、１，３，４，６，７，８−ヘキサヒドロ−４，６，６，７，８，８−ヘキサメチル−シクロペンタ−２−ベンゾピラン、７−メチル−３，４−ジヒドロ−２Ｈ１，５  ベンゾジオキセピン−３−オン、１，３，４，６，７，８−ヘキサヒドロ−４，６，６，７，８，８−ヘキサメチル−シクロペンタ−２−ベンゾピラン、１，３，４，６，７，８−ヘキサヒドロ−４，６，６，７，８，８−ヘキサメチル−シクロペンタ−２−ベンゾピラン、１，３，４，６，７，８−ヘキサヒドロ−４，６，６，７，８，８−ヘキサメチル−シクロペンタ−２−ベンゾピラン、シス−３−ヘキセニルアセテート、ａ−メチル−３，４−メチレンジオキシヒドロシンナムアルデヒド、シス−３−ヘキセン−１−オール、安息香酸、２−ヒドロキシ−，３−ヘキセニルエステル、（Ｚ）−，２  アセトナフトン−１，２，３，４，５，６，７，８−オクタヒドロ−２，３，８，８−テトラメチル、７−アセチル−１，１，３，４，４，６  ヘキサメチルテトラリン、メチル１−２，４−ジヒドロキシ−３，６−ジメチル−ベンゾエート、１−２，６，６−トリメチル−３−シクロヘキセン−１−イル−２−ブテン−１−オン、ｅ，ｅ−８，１０−ドデカジエン−１−オール、および（ｚ）−１１−テトラデセニルアセテートである。
【００５３】
本発明のいくつかの実施形態による香料が含み得る原料の追加の例には、限定するものではないが、アリルヘプタノエート、アネトールＵＳＰ、ベンズアルデヒド、ベンジルアセテート、シス−３−ヘキセニルアセテート、シス−ジャスモン、クマリン、ジヒドロミルセノール、ジメチルベンジルカルビニルアセテート、エチルバニリン、ユーカリプトール、オイゲノール、イソオイゲノール、イソブチルサリチレート、フローアセテート、ゲラニオール、ヒドロキシシトロネラール、コアボン、ジヒドロリナロール、リナロール、メチルアントラニレート、メチルベータナフチルケトン、メチルジヒドロジャスモネート、ネロール、ノナラクトン、オレンジフラワーエーテル、フェニルエチルアセテート、フェニルエチルアルコール、フェニルプロピルアルコール、フェノキシエチルイソブチレート、フェノキサノール、アルファ−テルピネオール、テトラヒドロリナロール、ベータ−テルピネオール、バニリン、およびこれらの混合物を含めることができる。
【００５４】
香料は、いくつかの実施形態では、付録Ａに列挙したＣＡＳ番号から成る組から選択されるＣＡＳ番号を有する１種または複数種の物質を含み得る。
【００５５】
フレーバー材料は室温で、固体状態または液体状態または気体状態とすることができる。典型的には、フレーバー材料は、室温で液体状態にある。
【００５６】
ある実施形態では、カプセルのうちの２つ以上、任意選択でおよび好ましくは全てのカプセルが、異なるフレーバー材料を収容し、ある実施形態では、カプセルのうちの２つ以上が同じフレーバー材料を収容し、またある実施形態では、カプセルのうちの２つ以上が、同じフレーバー材料を異なる濃度で収容する。
【００５７】
本発明のいくつかの実施形態では、システム１０は、環境２０内にカプセル中の少なくとも１つのフレーバー材料から得られた流体を分配するように構成された、ディスペンサシステム１８を備える。ディスペンサシステム１８は、図１Ａにおいて各区画に１つの個別の分配要素として示されているが、用途によってはシステム１８はたとえば単一のユニットとして提供され得るので、必ずしもこのようでなくてもよい。
【００５８】
ディスペンサシステム１８は、カプセル中のフレーバー材料から流体を得ることを可能にする任意の技術を採用できる。
【００５９】
本発明のいくつかの実施形態では、システム１８は加熱を採用する。これらの実施形態では、熱によりフレーバー材料に熱エネルギーが提供され、この熱エネルギーにより、フレーバー分子（たとえば匂い成分または風味改質剤）の結合を破壊するかまたはこれらを高いエネルギーの状態にして、これらが流れることを可能にする。熱の印加は、対流、放射、伝導によって行うことができる。本発明のいくつかの実施形態では、システム１８は、熱源、たとえば炎を利用する熱源、またはより好ましくは、抵抗式の熱源、たとえば線条抵抗器、電力抵抗器、またはコイルの形態のものを備える。本発明のいくつかの実施形態では、システム１８は、フレーバー材料上へとこれを加熱する波長の放射を向ける光源を備える。たとえば、光源は赤外線放射を照射することができる。
【００６０】
本発明のいくつかの実施形態では、システム１８は、フレーバー材料に超音波を当てる。超音波によりフレーバー材料に機械的エネルギー（たとえば振動）が提供され、この機械的エネルギーにより、フレーバー分子（たとえば匂い成分または風味改質剤）の結合を破壊するかまたはこれらを高いエネルギーの状態にして、これらが流れることを可能にする。
【００６１】
本発明のいくつかの実施形態では、システム１８は、フレーバー材料を霧化する。
【００６２】
本明細書で使用される場合、「霧化すること」および「霧化」は、液体媒体をスプレーまたは霧（すなわち小滴の集合）へと変換することを指す。液体媒体にノズルまたは開口を通過させることにより、霧化が生じ得る。「霧化すること」および「霧化」という用語は、スプレーもしくは霧またはこれらからの粒子が原子サイズまで小さくされることを、必ずしも意味しない。液体媒体の霧化は、霧化器の使用によって達成できる。霧化器は既知であり、米国ミネソタ州ＳｈｏｒｅｖｉｅｗのＴＳＩ，Ｉｎｃ．などから市販されている。
【００６３】
本発明のいくつかの実施形態では、システム１８は、フレーバー材料の近くの空気を加湿する。
【００６４】
「加湿すること」および「加湿」という用語は、気体に湿気を加える工程を指す。
【００６５】
加湿は加湿器によって達成できる。加湿器はそれ自体既知であり、温風式または冷風式のものとすることができる。温風式加湿器は、気化器または温霧生成器のいずれかを用いてフレーバー材料を加熱し、空気にフレーバーの湿気を加える。冷気式加湿器は、たとえばファン、ブロワ、回転する円盤、または超音波によって、湿気を機械的に生成する。
【００６６】
システム１８は、フレーバー材料から得られた流体をカプセルから離れるように移動させる気体流（たとえば空気流）を生成することもできる。これは、当技術分野で知られているように、ファンまたはブロワによって行うことができる。ファンまたはブロワによる気体流の生成は、上記の技法のうちの１つまたは複数による補完とすることができる。別法として、システム１８は、冷気式加湿の原理に従って、加熱を行わない、霧化を行わない、および超音波を当てない、ファンまたはブロワを採用できる。
【００６７】
システム１８は、たとえばカプセル１４の上側表面１４ａを通して、流体を環境内に直接放出できる。これらの実施形態では、上側表面１４ａは好ましくは環境に露出され、フレーバー材料から形成される流体が浸透可能とされるが、フレーバー材料自体は浸透可能ではない。これらの実施形態は、フレーバー材料が固体の形態であるときに、または得られた流体の分子がフレーバー材料の分子よりも実質的に小さいときに、有用である。
【００６８】
別法として、システム１８は、中に流体が放出される１つまたは複数の流体チャネル２２を備え得る。流体チャネルのうちの１つまたは複数は、環境２０への開口部２４を有することができ、特定の１つのカプセル中のフレーバー材料から得られた流体、またはいくつかのカプセル中のフレーバー材料から得られた流体を、開口部２４を通して放出できるようになっている。
【００６９】
本発明のいくつかの実施形態では、区画１２は、カプセルを穿通し流体チャネル２２との流体連通を確立させる、穿通部材２６（ノズルまたは中空の針など）を含む。図１Ａに例示するように、穿通部材２６を、区画１２の基部から内向きに突出するように配置できる。別法として、穿通部材２６は、区画１２の側壁から内向きに突出することができる。区画が上方以外からカプセルを受容するとき、穿通部材は、区画の頂部表面（図示せず）から内向きに突出することができる。また、いくつかの穿通部材が、たとえば、区画の基部において１つまたは複数が、および／または区画の側壁において１つまたは複数が採用される実施形態も、企図されている。
【００７０】
穿通部材は固定的なものとすることができ、この場合カプセルは、それぞれの区画内に嵌め込まれると穿通される。たとえば、固定的な穿通部材が区画の基部から外向きに突出しているとき、操作者はカプセルの上側表面１４ａを押圧して穿通を行うことができ、便利である。穿通部材は別法として、穿通を行う起点となる区画の内側表面（基部、側壁、上側表面）に対して、垂直に移動可能である。カプセルの穿通は、穿通部材が内向きに移動するときに行われる。カプセルの穿通後、穿通部材を後退させることができる。穿通部材の内向きのおよび後退する動きを、以下でさらに詳述するような制御装置によって、または手動で、たとえばレバーまたはボタン（図示せず）によって、確立することができる。
【００７１】
カプセルが穿通されると、フレーバー材料から得られた流体は、こうして形成された穿通部を通ってカプセルからチャネル２２内へと、次いでチャネル２２から環境２０内へと流れる。別法として、流体は、カプセルから混合チャンバ３０内へと、次いで混合チャンバから環境内へと流れることができる。混合チャンバ３０から環境への流れを、環境と比べて高くなったチャンバ３０内の気体圧力のおかげで、またはディスペンサシステム１８が操作するファンまたはブロワ３２によって、達成できる。
【００７２】
本発明の様々な例示的な実施形態では、システム１０は、区画のうちの２つ以上の選択に関連するデータを受信するように、および選択された区画のカプセル内に収容されているフレーバー材料から得られた流体を分配するようディスペンサシステム１８に信号を送るように構成された、制御装置２８を備える。本発明の様々な例示的な実施形態では、制御装置は、２つ以上のカプセルから得られた流体を、同時に放出させる。このことは、異なる分配要素を同時に作動させることよって、または流体がこれらの放出の前に混合チャンバにおいて混合するのを可能とすることによって、達成できる。
【００７３】
２種以上の流体を放出する能力に関して、いくつかの利点が存在する。たとえば、環境内に既に存在する匂いを制御するために、ある選択された区画が、フレグランスを有するカプセルを収容でき、別の区画が、匂い中和材料を有するカプセルを収容できる。フレグランスおよび匂い中和材料に依存にすることを選択できる。別の利点は、２つ以上の区画を選択することにより、使用者の所望に従って、操作者がシステム１０にフレーバーの組み合わせを放出させることが可能になり得ることである。
【００７４】
ディスペンサシステム１８が複数の分配要素を備えるとき、制御装置２８は、任意選択でおよび好ましくは、分配要素の各々に個々に信号を送る。
【００７５】
システム１０が混合チャンバ３０を備えるとき、制御装置２８は、任意選択でおよび好ましくは、少なくとも一時的に、選択された区画から混合チャンバ３０に至る流体チャネルを開放する。このことは、チャネル２２のうちの１つまたは複数に、制御装置２８によって制御される弁３４を設けることによって達成できる。また、個々のカプセル１４の各々から出てそれぞれのチャネル２２内に入る香料の流れが、制御装置２８によって独立して制御されるファンまたはブロワによるものである実施形態も、企図されている。これらの実施形態では、それぞれのカプセル中の香り同士の間の混合比率を、それぞれのファンの回転速度を制御することによって設定することができる。
【００７６】
システム１０が可動穿通部材２６を備えるとき、制御装置２８は、穿通部材２６の動作も制御できる。たとえば、区画のうちの１つの中へのカプセルの装填中、穿通部材は後退した（すなわち区画の内部に対して内向きに突出していない）状態とすることができる。
【００７７】
２つ以上の区画の選択に関連するデータが制御装置２８によって受信され、システム１０が動作状態であると、制御装置２８は、選択された区画の穿通部材にのみ、それぞれのカプセルを穿通するよう信号を送ることができる。このことにより、選択された区画内のカプセルから得られる流体のみが、最終的に環境内へと放出されることが保証される。
【００７８】
別法として、全てのカプセルを穿通することができ、環境への特定の流体の放出に対する制御を、弁３４を、および／またはそれぞれの分配要素が作動しているかいないかを制御することによって、達成することができる。
【００７９】
本発明のいくつかの実施形態では、制御装置２８は、混合比率に関連するデータも受信し、受信された混合比率に応じて、異なるフレーバー材料から得られた流体の量を制御する。（直接または流体チャネル２２を介してまたは混合チャンバ３０を介してのいずれかで）環境内へと最終的に放出される特定の流体の量に対する制御は、２つ以上の様式で達成することができる。
【００８０】
たとえば、本発明のいくつかの実施形態では、タイミングによってプロトコルが実行され、この場合、特定の流体を流れさせる時間は、混合比率に基づいて選択される。たとえば、第１のカプセルからのフレーバーおよび第２のカプセルからのフレーバーを、２：１の比率で混合することが望まれるとき、第１のカプセルからの流体は、特定の時間間隔Δｔの間流れさせることが可能であり、第２のカプセルからの流体は、間隔Δｔの半分の間流れさせることが可能である。
【００８１】
個々のカプセル１４の各々から出てそれぞれのチャネル２２の中に入る香料の流れが、制御装置２８によって独立して制御されるファンまたはブロワによるものである、本発明の実施形態では、それぞれのカプセル中の香り同士の間の混合比率を、それぞれのファンの回転速度を制御することによって設定できる。たとえば、第１のカプセルからのフレーバーおよび第２のカプセルからのフレーバーを、２：１の比率で混合することが望まれるとき、第１のカプセルから出る流れを生成するファンまたはブロワは、第２のカプセルから出る流れを生成するファンまたはブロワの回転速度よりも速い（たとえば２倍速い）回転速度で回転できる。
【００８２】
本発明のいくつかの実施形態では、システム１０は、各カプセルの重量を個別に測定するように構成された重量測定デバイス３６を備える。この実施形態は、たとえば操作者に通知をする目的で、各カプセル中に残るフレーバー材料の量を判定するのに有用である。
【００８３】
任意選択で、システム１０はディスプレイ３８を備え、制御装置２８は、デバイス３６から重量データを受信し、操作者に情報を提示するようディスプレイ３８を制御する。情報には、電池寿命、継続時間またはカプセル交換と関連付けられた他の好適な指標、混合比率、香り強度などに関する情報が含まれてよい。上で提供した情報の列挙は網羅的なものではなく、むしろ使用者がシステム１０の所望の動作を評価および／または維持する際に有益であると考え得る様々なパラメータを代表するものであることが諒解される。ディスプレイ３８は、ＬＣＤ、またはＬＥＤディスプレイ、またはデバイスの動作と関連付けられた１つもしくは複数のパラメータを表示可能な他の好適なディスプレイであってよい。
【００８４】
重量データはまた、制御装置２８によって、流体同士の間の混合比率を維持するためにも使用され得る。各カプセルの重量の変化に基づいて、制御装置は、それぞれのカプセルから得られている流体の量を事前に判定することができ、またしたがって、それぞれの流体の流れをその比率を維持するように制御できる。
【００８５】
システム１０は好ましくは、ユーザインターフェース４０を備える。ユーザインターフェースは、押圧することによって作動するボタンを含んでよく、また、各ボタンの特定の機能に応じて、様々な形状をとってよい。ユーザインターフェースは、電池残量の低下または特定のカプセル中のフレーバー材料が低レベルであることなどの、動作状態情報を示すためのＬＥＤも含んでよい。ユーザインターフェースは、タッチスクリーンまたはキーボードも含んでよい。ユーザインターフェースはまた、音声作動インターフェースであってもよい。
【００８６】
ユーザインターフェースにより、操作者は、操作者が好むように流体の放出をプログラム可能となり得る。たとえば、ユーザインターフェースにより、使用者は、たとえば、分配する日数、各分配動作の量、分配と関連付けられる１日のうちの時間、分配の継続時間、等を選ぶことによって、分配の速度をプログラム可能となり得る。より速い分配の速度でより短い継続時間を選択すること、およびより遅い分配の速度でより長い継続時間を選択することによって、同様の香り継続時間および強度プロファイルを生成できることが理解される。ユーザインターフェースにより、使用者はまた、限定するものではないが、日光設定、オンおよびオフ時間など、システム１０の他の特徴もプログラム可能となり得る。本発明の様々な例示的な実施形態では、ユーザインターフェースにより、操作者は、システム１０もしくはその任意の構成要素を個別に（ディスペンサシステム１８、制御装置２８）作動および／もしくは非作動化させること、カプセルのうちのどれが作動されることになるかを示す選択データを入力すること、ならびに／または混合比率を入力することが可能となる。ユーザインターフェース４０を、システム１０の封入体４２上に装着できる。
【００８７】
いくつかの実施形態では、システム１０は、遠隔で作動される。これらの実施形態では、システム１０は、遠隔のユーザインターフェース４６と通信するように構成された、通信システム４４を備える。たとえば、ユーザインターフェース４６はスマート家庭制御システムとすることができ、制御装置２８は、通信システム４４を介してスマート家庭制御システムにシステム１０の状態に関連する信号を送信すること、ならびに、スマート家庭制御システムから、作動および／または非作動化信号、選択データを担持する信号、混合比率を担持する信号などを含み得る制御信号を受信することができる。インターフェース４６と通信システム４４との間の通信は、近距離ワイヤレス通信技術を介することができる。これに対応するように、インターフェース４６を、ＢＬＵＥＴＯＯＴＨ（登録商標）、Ｚ−ｗａｖｅ、ＺｉｇＢｅｅ、またはＷＩＦＩ通信機能を備えた、携帯電話、タブレットコンピュータ、およびノートブックコンピュータから成る群から選択することができる。通信はまた、インターネット、ＧＰＲＳ、ＧＳＭ（登録商標）、ＣＤＭＡ、３Ｇ、または４Ｇ通信技術を介することもできる。これに対応するように、インターフェース４６は、インターネットに接続可能なコンピュータとすることができ、また、ＧＰＲＳ、ＧＳＭ、ＣＤＭＡ、３Ｇ、または４Ｇ通信機能を備えた携帯電話であってもよい。通信により、使用者は、香りを、家庭またはオフィスまたは他の運用の場所の雰囲気に影響を与えるかまたはこれを最適化する他のソリューションと、組み合わせられるようになり得る。こうした雰囲気に効果を及ぼすものは他には、温度、音楽または騒音、アラームシステム、湿度、照明などを変えるシステムであり得る。
【００８８】
システム１０は、典型的には、ただし必須ではないが、約４平方メートルから約２５平方メートルまでの面積、および約２メートルから約５メートルまでの高さを有する任意の環境に、感知可能な香りを提供し得る。各カプセルの動作の継続時間は、任意選択でおよび好ましくは、約２時間から約２４時間までである。カプセルは好ましくは、使い捨て用である。各カプセル中のフレーバー材料の体積は、約２ｍｌから約１０ｍｌまでとすることができる。他のサイズおよび継続時間は、本発明の範囲から除外されていない。カプセルは、システム１０とは別に消費者に提供することができる。たとえば、いくつかのカプセルのパッケージを市販することができ、この場合、各パッケージは、同じまたは異なるフレーバー材料を収容するカプセルを含み得る。図２は、そのようなパッケージングの代表例を示す画像であり、この場合、各パッケージは、同じフレーバーの４つのカプセルを含む。他のパッケージング形態も企図される。
【００８９】
次に、気体がカプセルから下向きに流れる本発明の実施形態におけるシステム１０の概略の図である、図３Ａ〜図３Ｈを参照する。図３Ａは、区画１２、開口部２４、およびシステム１０の様々な構成要素を包囲するケーシング５２を示す、システム１０の斜視図である。図３Ｂは、ケーシング５２のないシステム１０の斜視図であり、基部組立体５４に接続された区画１２を示す。基部組立体５４は、以下で記載する図３Ｇおよび図３Ｈにより良好に例示されている。
【００９０】
図３Ｃおよび図３Ｄは、サイズに関しておよび形状に関して区画１２と適合可能とされたカプセル１４の、２つの異なる斜視図を例示している。カプセル１４は、これらの上側表面１４ａに進入グリッドを、およびこれらの底部表面１４ｂに流出グリッドを有して、形成される。動作時、環境からの空気が上側表面１４ａのグリッドを通ってカプセル１４に入り、底部表面１４ｂのグリッドを通ってカプセル１４から香料が流出する。
【００９１】
図３Ｅおよび図３Ｆは、区画１２の上面図（図３Ｅ）および斜視図（図３Ｆ）を例示している。これらの実施形態では、区画１２は、区画１２がカプセル１４を受容できるようにこれらの上側１２ａで開いており、また、これらの底部側１２ｂにグリッドを有する。動作時、底部表面１４ｂのグリッドを通ってカプセル１４から流出する香料は、区画１２の底部側１２ｂのグリッドを通過する。
【００９２】
本発明のいくつかの実施形態では、カプセル１４は識別タグ５６を備える。識別タグ５６は、限定するものではないが、カプセルの真正性、カプセル中の香料の種類および／または濃度、カプセル中の香料の量、カプセルが動作中であった経過時間、等を含む、カプセルの少なくとも１つの特性に関連する識別を提供する。識別タグ５６は、限定するものではないが、バーコード（たとえばＱＲタグ）、ＲＦＩＤ、およびＲＴＬＳなどの、当技術分野で知られている任意の機械読み取り可能な種類のものとすることができる。
【００９３】
カプセル１４が識別タグを備える実施形態では、区画１２のうちの１つまたは複数が、任意選択で、識別タグからデータを読み取るように構成されるタグ読み取り回路５８を備える。タグ読み取り回路５８によって得られたデータを、任意選択でおよび好ましくは、制御装置２８に送信でき、制御装置２８は、このデータに基づきシステム１０を動作させることができる。たとえば、カプセルが真正でないことをデータが示すとき、制御装置は、システム１０の動作を止めることができる。また、データが香料の種類を含むとき、制御装置は、選択されたプロトコルにおよび識別された香料の種類に基づいて、システム１０を動作させることができる。
【００９４】
図３Ｇおよび図３Ｈは、本発明のいくつかの実施形態による、基部組立体５４の斜視図（図３Ｇ）および断面図（図３Ｈ）を例示している。基部組立体は、保持フレーム６０内に嵌め込まれた１つまたは複数のファンまたはブロワを備える。明瞭に提示するために、図３Ｇにはファン自体は図示していない。基部組立体５４はまた、それぞれのファンの出口に各々配置された、流体チャネル２２も備える。ファンまたはブロワは、保持フレーム６０上に装着されて、カプセルの底部１４ｂのグリッドから出て、区画の底部１２ｂのグリッドを通り、流体チャネル２２内に入る、香料の流れを生成する方向に回転する。個々の区画１２からの香りは、チャネル２２によって、混合チャンバ３０として働く流出流体チャネル内へと案内される。図３Ｇおよび図３Ｈの代表的な図では、流出流体チャネル３０は先細となった形状（たとえば円錐形状）を有するが、流出流体チャネル３０は先細となっていない形状を有し得るので、必ずしもこのようでなくてもよい。流出流体チャネル３０から、開口部２４を介して、システム１０から混合された香りが流出する。
【００９５】
付録Ａ
香料は、いくつかの実施形態では、５６−８１−５、５９−０２−９、６０−１２−８、６０−３３−３、６０−３３−３、６４−１７−５、６６−２５−１、７１−２３−８、７１−３６−３、７１−４１−０、７４−９３−１、７５−１８−３、７５−６５−０、７６−０９−５、７６−２２−２、７６−４９−３、７６−５０−６、７７−４２−９、７７−５２−１、７７−５３−２、７７−５４−３、７７−７０−３、７７−８３−８、７７−９０−７、７８−３５−３、７８−３６−４、７８−３７−５、７８−６９−３、７８−７０−６、７８−８４−２、７８−９２−２、７９−２０−９、７９−３１−２、７９−４２−５、７９−６９−６、７９−７０−９、７９−７６−５、７９−７７−６、７９−７８−７、７９−８９−０、７９−９２−５、８０−２５−１、８０−２６−２、８０−２７−３、８０−５４−６、８０−５６−８、８０−５７−９、８０−５９−１、８０−７１−７、８１−１４−１、８３−３４−１、８４−６６−２、８５−９１−６、８６−２６−０、８７−１９−４、８７−２０−７、８７−２２−９、８７−２５−２、８７−４１−２、８７−４４−５、８７−５５−８、８７−９１−２、８８−０９−５、８８−１５−３、８８−４０−４、８８−４１−５、８８−６０−８、８８−６９−７、８８−８４−６、８９−４３−０、８９−４８−５、８９−６５−６、８９−７１−４、８９−７４−７、８９−７８−１、８９−７９−２、８９−８０−５、８９−８１−６、８９−８２−７、８９−８３−８、８９−８８−３、９０−００−６、９０−０２−８、９０−０５−１、９０−１２−０、９０−１７−５、９０−４２−６、９０−４３−７、９０−８７−９、９１−０１−０、９１−１０−１、９１−１６−７、９１−２０−３、９１−５０−９、９１−５１−０、９１−５７−６、９１−６１−２、９１−６２−３、９１−６３−４、９１−６４−５、９１−８７−２、９２−６８−２、９３−０４−９、９３−０８−３、９３−１５−２、９３−１６−３、９３−１８−５、９３−１９−６、９３−２８−７、９３−２９−８、９３−５１−６、９３−５３−８、９３−５４−９、９３−５５−０、９３−５８−３、９３−６０−７、９３−８９−０、９３−９１−４、９３−９２−５、９４−０２−０、９４−０８−６、９４−２６−８、９４−３０−４、９４−４６−２、９４−４７−３、９４−４８−４、９４−５０−８、９４−６２−２、９４−８６−０、９５−１３−６、９５−１６−９、９５−２１−６、９５−４１−０、９５−６５−８、９５−８７−４、９５−９２−１、９６−０４−８、９６−１７−３、９６−２２−０、９６−４８−０、９７−４１−６、９７−４２−７、９７−４５−０、９７−５３−０、９７−５４−１、９７−６１−０、９７−６２−１、９７−６４−３、９７−８５−８、９７−８７−０、９７−８９−２、９７−９５−０、９７−９９−４、９８−０１−１、９８−０２−２、９８−５１−１、９８−５２−２、９８−５３−３、９８−５５−５、９８−８５−１、９８−８６−２、９８−８９−５、９９−４８−９、９９−４９−０、９９−７２−９、９９−７５−２、９９−８３−２、９９−８５−４、９９−８６−５、９９−８７−６、９９−８９−８、１００−０６−１、１００−４１−４、１００−４７−０、１００−５１−６、１００−５２−７、１００−６６−３、１００−８６−７、１０１−３９−３、１０１−４１−７、１０１−４８−４、１０１−４９−５、１０１−８１−５、１０１−８４−８、１０１−８５−９、１０１−８６−０、１０１−８６−０、１０１−９４−０、１０１−９７−３、１０２−０４−５、１０２−１３−６、１０２−１６−９、１０２−１７−０、１０２−１９−２、１０２−２０−５、１０２−２２−７、１０３−０５−９、１０３−０７−１、１０３−０９−３、１０３−１３−９、１０３−２３−１、１０３−２５−３、１０３−２６−４、１０３−２８−６、１０３−２９−７、１０３−３６−６、１０３−３７−７、１０３−３８−８、１０３−４１−３、１０３−４５−７、１０３−４８−０、１０３−５０−４、１０３−５２−６、１０３−５３−７、１０３−５４−８、１０３−５６−０、１０３−５８−２、１０３−５９−３、１０３−６０−６、１０３−６１−７、１０３−８２−２、１０３−９３−５、１０３−９５−７、１０４−０９−６、１０４−２０−１、１０４−２１−２、１０４−４５−０、１０４−４６−１、１０４−５０−７、１０４−５３−０、１０４−５４−１、１０４−５５−２、１０４−５７−４、１０４−６１−０、１０４−６２−１、１０４−６４−３、１０４−６５−４、１０４−６７−６、１０４−７６−７、１０４−８７−０、１０４−９３−８、１０５−０１−１、１０５−１３−５、１０５−２１−５、１０５−３７−３、１０５−４５−３、１０５−５３−３、１０５−５４−４、１０５−５７−７、１０５−６６−８、１０５−６７−９、１０５−６８−０、１０５−７０−４、１０５−７９−３、１０５−８２−８、１０５−８５−１、１０５−８６−２、１０５−８７−３、１０５−８９−５、１０５−９０−８、１０５−９１−９、１０５−９５−３、１０６−０２−５、１０６−１８−３、１０６−２１−８、１０６−２２−９、１０６−２３−０、１０６−２４−１、１０６−２５−２、１０６−２６−３、１０６−２７−４、１０６−２８−５、１０６−２９−６、１０６−３０−９、１０６−３２−１、１０６−３３−２、１０６−３５−４、１０６−３６−５、１０６−４４−５、１０６−６５−０、１０６−６８−３、１０６−７０−７、１０６−７２−９、１０６−７３−０、１０６−７９−６、１０７−０３−９、１０７−５４−０、１０７−７４−４、１０７−７５−５、１０７−８６−８、１０７−８７−９、１０７−９２−６、１０７−９８−２、１０８−１０−１、１０８−１１−２、１０８−２２−５、１０８−２９−２、１０８−４７−４、１０８−４８−５、１０８−５０−９、１０８−６４−５、１０８−６７−８、１０８−６８−９、１０８−８２−７、１０８−８３−８、１０８−８４−９、１０８−９３−０、１０９−０８−０、１０９−１５−９、１０９−１９−３、１０９−２０−６、１０９−２１−７、１０９−２５−１、１０９−２９−５、１０９−２９−５、１０９−４２−２、１０９−４３−３、１０９−４９−９、１０９−５２−４、１０９−６０−４、１０９−９４−４、１１０−１３−４、１１０−１９−０、１１０−３４−９、１１０−３６−１、１１０−３８−３、１１０−３９−４、１１０−４０−７、１１０−４１−８、１１０−４２−９、１１０−４３−０、１１０−４５−２、１１０−６２−３、１１０−７４−７、１１０−８９−４、１１０−９３−０、１１０−９８−５、１１１−０６−８、１１１−１１−５、１１１−１２−６、１１１−１３−７、１１１−１４−８、１１１−２７−３、１１１−２８−４、１１１−３０−８、１１１−６１−５、１１１−６２−６、１１１−７０−６、１１１−７１−７、１１１−７７−３、１１１−７９−５、１１１−８０−８、１１１−８１−９、１１１−８２−０、１１１−８４−２、１１１−８７−５、１１２−０５−０、１１２−０６−１、１１２−１２−９、１１２−１４−１、１１２−１７−４、１１２−１９−６、１１２−２３−２、１１２−３０−１、１１２−３１−２、１１２−３２−３、１１２−３７−８、１１２−３８−９、１１２−３９−０、１１２−４０−３、１１２−４２−５、１１２−４３−６、１１２−４４−７、１１２−４５−８、１１２−４５−８、１１２−５３−８、１１２−５４−９、１１２−６１−８、１１２−６２−９、１１２−６３−０、１１２−６６−３、１１２−７０−９、１１２−７２−１、１１２−９５−８、１１５−１８−４、１１５−７１−９、１１５−９５−７、１１５−９９−１、１１６−０２−９、１１６−２６−７、１１６−５３−０、１１７−９８−６、１１８−５８−１、１１８−６０−５、１１８−６１−６、１１８−７１−８、１１８−９３−４、１１９−３６−８、１１９−５３−９、１１９−６１−９、１２０−１１−６、１２０−１４−９、１２０−２４−１、１２０−４５−６、１２０−５０−３、１２０−５１−４、１２０−５７−０、１２０−７２−９、１２０−９２−３、１２０−９３−４、１２１−３２−４、１２１−３３−５、１２１−３４−６、１２１−３９−１、１２１−９７−１、１２１−９８−２、１２２−００−９、１２２−０３−２、１２２−２７−０、１２２−４０−７、１２２−４３−０、１２２−４４−１、１２２−４５−２、１２２−４６−３、１２２−４８−５、１２２−６２−３、１２２−６３−４、１２２−６７−８、１２２−６８−９、１２２−６９−０、１２２−７０−３、１２２−７１−４、１２２−７２−５、１２２−７３−６、１２２−７４−７、１２２−７８−１、１２２−７８−１、１２２−８４−９、１２２−９１−８、１２２−９７−４、１２２−９９−６、１２３−０５−７、１２３−０７−９、１２３−０８−０、１２３−１１−５、１２３−１５−９、１２３−１７−１、１２３−１８−２、１２３−１９−３、１２３−２５−１、１２３−２９−５、１２３−３２−０、１２３−３５−３、１２３−５１−３、１２３−６６−０、１２３−６８−２、１２３−６９−３、１２３−７２−８、１２３−７６−２、１２３−８６−４、１２３−９４−４、１２３−９５−５、１２３−９６−６、１２４−０６−１、１２４−０７−２、１２４−１０−７、１２４−１２−９、１２４−１３−０、１２４−１８−５、１２４−１９−６、１２４−２５−４、１２４−７６−５、１２５−１２−２、１２６−１４−７、１２６−６４−７、１２６−９０−９、１２６−９１−０、１２７−２５−３、１２７−４１−３、１２７−４２−４、１２７−４２−４、１２７−４２−４、１２７−４３−５、１２７−５１−５、１２７−５１−５、１２７−５１−５、１２７−５１−５、１２７−５１−５、１２７−９１−３、１２８−３７−０、１２８−５０−７、１２８−５１−８、１３１−１１−３、１３３−１８−６、１３４−２０−３、１３４−２８−１、１３４−９６−３、１３５−０２−４、１３５−７９−５、１３６−６０−７、１３７−００−８、１３７−０３−１、１３７−３２−６、１３８−２２−７、１３８−２３−８、１３８−８６−３、１３８−８７−４、１３９−４５−７、１３９−７０−８、１４０−１０−３、１４０−１１−４、１４０−２５−０、１４０−２６−１、１４０−２７−２、１４０−３９−６、１４０−６７−０、１４１−０３−７、１４１−０６−０、１４１−０９−３、１４１−１１−７、１４１−１２−８、１４１−１３−９、１４１−１４−０、１４１−１５−１、１４１−１６−２、１４１−２５−３、１４１−２６−４、１４１−２７−５、１４１−２８−６、１４１−７８−６、１４１−７９−７、１４１−９２−４、１４１−９７−９、１４２−０９−６、１４２−１９−８、１４２−５０−７、１４２−６０−９、１４２−６２−１、１４２−９１−６、１４２−９２−７、１４３−０７−７、１４３−０８−８、１４３−１３−５、１４３−１４−６、１４４−３９−８、１５０−７８−７、１５０−８４−５、１５０−８６−７、１５１−０５−３、１５１−１０−０、１５１−１９−９、１５６−０６−９、２８６−９９−７、３０１−００−８、３２６−６１−４、３３４−４８−５、３５０−０３−８、４０９−０２−９、４３２−２４−６、４３２−２５−７、４５９−８０−３、４６３−４０−１、４６４−４３−７、４６４−４５−９、４６４−４８−２、４６４−４９−３、４６９−６１−４、４７０−６７−７、４７０−８２−６、４７０−９９−５、４７２−６４−０、４７２−６６−２、４７２−７８−６、４７２−９７−９、４７３−０３−０、４７３−５４−１、４７３−５５−２、４７３−６７−６、４７５−０３−６、４７５−２０−７、４８８−１０−８、４８８−９７−１、４８９−４０−７、４８９−８４−９、４８９−８６−１、４９０−０３−９、４
９０−９９−３、４９１−０１−０、４９１−０２−１、４９１−０７−６、４９１−０９−８、４９１−３５−０、４９４−９０−６、４９５−４０−９、４９５−６１−４、４９５−６２−５、４９５−７６−１、４９７−０３−０、４９８−００−０、４９８−０２−２、４９８−１６−８、４９８−８１−７、４９９−４４−５、４９９−５４−７、４９９−６９−４、４９９−７０−７、４９９−７５−２、５００−０２−７、５０１−５２−０、５０２−２６−１、５０２−４７−６、５０２−６１−４、５０２−６９−２、５０２−７２−７、５０２−９９−８、５０３−７４−２、５０５−３２−８、５０６−５２−５、５０７−７０−０、５０８−３２−７、５１１−５９−１、５１２−１３−０、５１２−６１−８、５１３−８５−９、５１３−８６−０、５１４−５１−２、５１４−９９−８、５１５−００−４、５１５−０３−７、５１５−６９−５、５２６−７５−０、５２７−６０−６、５２７−８４−４、５２８−７９−０、５２９−２０−４、５２９−３３−９、５３１−２６−０、５３２−０８−１、５３３−１８−６、５３３−３１−３、５３４−１５−６、５３５−７７−３、５３６−５０−５、５３６−５９−４、５３６−６０−７、５３６−７５−４、５３６−７８−７、５３８−６５−８、５３８−８６−３、５３９−１２−８、５３９−３０−０、５３９−８２−２、５３９−８８−８、５３９−９０−２、５４０−０７−８、５４０−１８−１、５４０−４２−１、５４１−８５−５、５４１−９１−３、５４２−４６−１、５４２−５５−２、５４３−３９−５、５４３−４９−７、５４４−１２−７、５４４−３５−４、５４４−４０−１、５４４−６３−８、５４４−７６−３、５４６−２８−１、５４６−４９−６、５４６−７９−２、５４６−８０−５、５４７−６０−４、５４７−６３−７、５５１−０８−６、５５２−０２−３、５５４−１２−１、５５５−１０−２、５５６−２４−１、５５６−８２−１、５５７−００−６、５５７−４８−２、５６０−８８−３、５６２−７４−３、５６３−８０−４、５６４−２０−５、５６４−９４−３、５６５−６２−８、５６５−６３−９、５７６−２６−１、５７７−１６−２、５７８−５８−５、５７９−０７−７、５７９−７４−８、５８３−０４−０、５８３−６０−８、５８５−２４−０、５８６−３７−８、５８６−６２−９、５８６−８２−３、５８８−６７−０、５８９−１８−４、５８９−３５−５、５８９−３８−８、５８９−５９−３、５８９−６６−２、５８９−７５−３、５８９−８２−２、５８９−９８−０、５９０−０１−２、５９０−８６−３、５９１−１１−７、５９１−１２−８、５９１−３１−１、５９１−４７−９、５９１−６０−６、５９１−６８−４、５９２−２０−１、５９２−８４−７、５９２−８８−１、５９３−０８−８、５９３−４５−３、６００−１４−６、６００−１８−０、６０４−６８−２、６０６−４５−１、６０７−８５−２、６０７−８８−５、６０７−９０−９、６０７−９７−６、６０９−０８−５、６１１−１３−２、６１２−１６−８、６１３−７０−７、６１４−１８−６、６１４−３４−６、６１５−１３−４、６１６−２５−１、６１７−０１−６、６１７−０５−０、６１７−３５−６、６１７−５０−５、６１７−９４−７、６１８−４５−１、６１９−０１−２、６２０−０２−０、６２０−１７−７、６２０−２３−５、６２０−７９−１、６２０−８０−４、６２１−８２−９、６２２−４５−７、６２３−０５−２、６２３−１７−６、６２３−２２−３、６２３−３６−９、６２３−３７−０、６２３−４２−７、６２３−７０−１、６２３−８４−７、６２４−０９−９、６２４−１３−５、６２４−１５−７、６２４−２４−８、６２４−４１−９、６２４−５１−１、６２４−５４−４、６２４−９２−０、６２５−５５−８、６２６−３８−０、６２６−７７−７、６２６−８２−４、６２６−９３−７、６２７−８３−８、６２７−９０−７、６２８−４４−４、６２８−６３−７、６２８−７３−９、６２８−９７−７、６２８−９９−９、６２９−１９−６、６２９−３３−４、６２９−５０−５、６２９−５９−４、６２９−６２−９、６２９−６３−０、６２９−７８−７、６２９−９２−５、６２９−９４−７、６２９−９６−９、６２９−９７−０、６３４−３６−６、６３５−４６−１、６３７−６４−９、６３７−７８−５、６３８−１１−９、６３８−２５−５、６３８−４９−３、６３８−５３−９、６３８−６７−５、６３９−９９−６、６４３−５３−８、６４４−３５−９、６４４−４９−５、６４５−１３−６、６４５−５６−７、６４５−６２−５、６４５−７２−７、６４６−１３−９、６５６−５３−１、６５９−７０−１、６６１−１９−８、６７０−２４−６、６７３−８４−７、６７５−０９−２、６８７−４７−８、６８８−８２−４、６８９−６７−８、６９２−８６−４、６９３−５４−９、６９５−０６−７、６９７−８２−５、６９８−１０−２、６９８−７６−０、６９９−０２−５、７０２−２３−８、７０５−５８−８、７０５−７３−７、７０５−８６−２、７０６−１４−９、７０７−２９−９、７１０−０４−３、７１２−５０−５、７１３−９５−１、７６２−２６−５、７６２−２９−８、７６３−３２−６、７６４−３９−６、７６５−０５−９、７６５−７０−８、７６５−８７−７、７７４−４８−１、７７４−５５−０、８１６−１９−３、８１６−７３−９、８１８−３８−２、８１８−８１−５、８２１−５５−６、８２３−２２−３、８２５−５１−４、８２８−２６−２、８３１−９７−０、８６８−５７−５、８７１−２２−７、８７４−６６−８、８７４−９０−８、８７９−６７−４、８８１−６８−５、９２３−６９−３、９２５−７８−０、９２８−６８−７、９２８−８０−３、９２８−９１−６、９２８−９４−９、９２８−９５−０、９２８−９６−１、９２８−９７−２、９３３−４８−２、９３７−３０−４、９３９−４８−０、９３９−９７−９、９４１−９８−０、９４３−２７−１、９５０−３３−４、９９６−９７−４、９９９−４０−６、１００２−８４−２、１００６−２７−５、１０１１−１２−７、１０７２−８３−９、１０７３−１１−６、１０７３−２９−６、１０７６−５６−８、１０７８−９５−１、１０７９−０１−２、１０８０−１２−２、１１１３−２１−９、１１１４−９２−７、１１１５−１１−３、１１１５−８４−０、１１１７−５２−８、１１１７−５５−１、１１１７−５９−５、１１１７−６１−９、１１１８−２７−０、１１１８−３９−４、１１１９−０６−８、１１１９−４０−０、１１１９−４４−４、１１２２−６２−９、１１２３−２７−９、１１２３−８５−９、１１２４−１１−４、１１２５−２１−９、１１２５−８８−８、１１２８−０８−１、１１２９−４７−１、１１３５−６６−６、１１３９−３０−６、１１４２−８５−４、１１５３−５１−１、１１６６−５２−５、１１８８−０２−９、１１８９−０９−９、１１９１−１６−８、１１９２−６２−７、１１９３−１８−６、１１９３−７９−９、１１９３−８１−３、１１９５−３２−０、１１９５−７９−５、１１９５−９２−２、１１９６−０１−６、１１９６−３１−２、１１９７−０１−９、１１９７−１５−５、１１９７−３３−７、１２００−６７−５、１２０５−１７−０、１２０５−４２−１、１２０９−６１−６、１２１１−２９−６、１２１７−０８−９、１２２２−０５−５、１２２２−０５−５、１２２２−０５−５、１２２２−０５−５、１２２２−０５−５、１２２７−５１−６、１３１９−８８−６、１３２１−８９−７、１３２２−１７−４、１３２２−５８−３、１３２３−００−８、１３２３−７５−７、１３２９−９９−３、１３３０−１６−１、１３３０−２０−７、１３３１−８１−３、１３３１−８３−５、１３３１−９２−６、１３３３−０９−１、１３３３−４９−９、１３３３−５２−４、１３３３−５３−５、１３３３−５８−０、１３３４−７８−７、１３３４−８２−３、１３３５−０９−７、１３３５−１０−０、１３３５−１２−２、１３３５−４２−８、１３３５−４４−０、１３３５−４６−２、１３３５−４８−４、１３３５−６６−６、１３３５−８６−０、１３３７−８３−３、１３６５−１９−１、１４０５−９２−１、１４０６−５７−１、１４２３−４６−７、１４２４−８３−５、１４３８−９４−４、１４５０−７２−２、１４５４−８４−８、１４９０−０４−６、１５０２−２２−３、１５０４−５５−８、１５０４−７４−１、１５０４−７５−２、１５０６−０２−１、１５１６−１７−２、１５４０−２８−９、１５４０−２９−０、１５５１−４３−５、１５５１−４４−６、１５５２−６７−６、１５６１−１１−１、１５６５−７６−０、１５６５−８１−７、１５６９−６０−４、１５７６−７７−８、１５７６−７８−９、１５７６−８７−０、１５７６−９５−０、１５７９−２１−１、１５８５−０６−４、１５９９−４７−９、１５９９−４９−１、１６０４−２８−０、１６０４−３４−８、１６１７−２３−８、１６２９−５８−９、１６３２−７３−１、１６４６−２６−０、１６５３−３０−１、１６５４−８６−０、１６６９−４４−９、１６７０−４６−８、１６７０−４７−９、１６７４−０８−４、１７０８−３４−５、１７０８−３５−６、１７０８−３６−７、１７０８−８１−２、１７０８−８２−３、１７２５−０１−５、１７２８−４６−７、１７３１−８１−３、１７３１−８４−６、１７３１−８６−８、１７３３−２５−１、１７４１−４１−９、１７５４−６２−７、１７５９−２８−０、１７８６−０８−９、１７９７−７４−６、１８１７−９０−９、１８２０−０９−３、１８３８−８８−６、１８６６−３１−５、１８７５−８９−４、１８７９−００−１、１８８５−３８−７、１８８８−９０−０、１９００−６９−２、１９０１−２６−４、１９０１−３８−８、１９２２−６７−４、１９６３−３６−６、１９６８−４０−７、１９７５−７８−６、１９８４−６０−７、２００９−７４−７、２０２１−２８−５、２０２９−９４−９、２０３５−９９−６、２０４０−１０−０、２０４９−９６−９、２０５０−０１−３、２０５０−０８−０、２０５０−０９−１、２０５１−７８−７、２０５１−９６−９、２０５２−１４−４、２０５２−１５−５、２０５７−４９−０、２０７８−５４−８、２０９４−６９−１、２０９４−７３−７、２１０２−５９−２、２１０９−２２−０、２１１０−１８−１、２１１１−７５−３、２１１４−２９−６、２１１４−３３−２、２１１６−６２−３、２１２０−７０−９、２１２０−７０−９、２１４２−９４−１、２１５３−２６−６、２１５３−２８−８、２１７３−５６−０、２１７３−５７−１、２１７７−７７−７、２１７９−５７−９、２１８６−９２−７、２１９８−６１−０、２２０６−９４−２、２２１６−４５−７、２２１６−５１−５、２２１６−５２−６、２２１６−８１−１、２２１７−３３−６、２２１９−８２−１、２２２６−０５−３、２２３９−７８−３、２２４４−０７−７、２２４４−１６−８、２２５７−０９−２、２２７０−６０−２、２２７７−１６−９、２２７７−１９−２、２２７８−５３−７、２３０５−０５−７、２３０５−２１−７、２３０５−２５−１、２３０６−７８−７、２３０６−８８−９、２３０６−８９−０、２３０６−９１−４、２３０８−１８−１、２３１１−４６−８、２３１１−５９−３、２３１５−０９−５、２３１５−６８−６、２３４４−７０−９、２３４５−２４−６、２３４５−２６−８、２３４５−２７−９、２３４５−２８−０、２３４９−０７−７、２３４９−１３−５、２３５１−９０−８、２３６３−８９−５、２３７１−１３−３、２３８０−７８−１、２３８５−７７−５、２３９６−７７−２、２３９６−７８−３、２３９６−８３−０、２３９６−８４−１、２３９６−８５−２、２４０３−５８−９、２４０８−２０−０、２４０８−３７−９、２４
０９−５５−４、２４１２−７３−９、２４１２−８０−８、２４１６−９４−６、２４３２−５１−１、２４３２−９１−９、２４３５−１６−７、２４３６−９０−０、２４３７−２５−４、２４３９−４４−３、２４４２−１０−６、２４４５−６７−２、２４４５−７２−９、２４４５−７６−３、２４４５−７７−４、２４４５−７８−５、２４６３−５３−８、２４６３−６３−０、２４６３−７７−６、２４８２−３９−５、２４９７−１８−９、２５００−８３−６、２５１１−００−４、２５２０−６０−７、２５２５−１６−８、２５４８−８７−０、２５５０−１１−０、２５５０−２６−７、２５５５−４９−９、２５５６−１０−７、２５６５−８２−４、２５６５−８３−５、２５６８−２５−４、２６２３−２３−６、２６２８−１７−３、２６３０−３９−９、２６３９−６３−６、２６３９−６８−１、２６７９−８７−０、２７０５−８７−５、２７１９−０８−６、２７２１−２２−４、２７５６−５６−１、２７８５−８７−７、２７８５−８９−９、２８３５−３９−４、２８４７−３０−５、２８８２−２０−４、２９７９−２２−８、２９８３−３６−０、２９８３−３７−１、２９８３−３８−２、２９８６−５４−１、３００８−４３−３、３０１６−１９−１、３０２５−３０−７、３０３３−２３−６、３０５６−６４−２、３１４２−７２−１、３１４９−２８−８、３１５５−７１−３、３１８８−００−９、３２０８−４０−０、３２０９−１３−０、３２１３−７３−８、３２３９−３５−８、３２３９−３７−０、３２４０−０９−３、３２４０−２９−７、３２４５−２３−６、３２６８−４９−３、３２６９−９０−７、３２８８−９９−１、３２９３−４７−８、３３０１−９０−４、３３０１−９４−８、３３３８−５５−４、３３６０−４１−６、３３８５−６１−３、３３８７−４１−５、３３９０−１２−３、３３９１−８３−１、３３９１−８６−４、３３９１−８７−５、３４０７−４２−９、３４５２−９７−９、３４６０−４４−４、３４８７−９９−８、３４８８−００−４、３４９１−６３−２、３４９４−７６−６、３５０８−９８−３、３５２１−９１−３、３５２６−７５−８、３５４９−２３−３、３５５８−６０−９、３５７２−０６−３、３５８３−００−４、３６０３−９９−４、３６０８−１１−５、３６１３−３０−７、３６２３−５１−６、３６５０−４６−２、３６５８−７７−３、３６５８−７７−３、３６５８−８０−８、３６５８−９３−３、３６８１−７１−８、３６８１−７８−５、３６８１−８２−１、３６８３−１２−３、３６８７−４６−５、３６８７−４８−７、３６９１−１２−１、３７２０−１６−９、３７２４−５４−７、３７２４−６１−６、３７３８−００−９、３７７７−６９−３、３７７７−７１−７、３７７９−６１−１、３７８２−００−１、３７９６−７０−１、３８４２−０３−３、３８４８−２４−６、３８９１−５９−６、３８９３−２３−０、３９１０−３５−８、３９１３−７１−１、３９１３−８０−２、３９１３−８１−３、３９１５−８３−１、３９３８−９５−２、３９４３−７４−６、４０７７−４７−８、４１１２−８９−４、４１１２−９２−９、４１２５−４３−３、４１６６−２０−５、４１７９−１９−５、４１８０−２３−８、４１９４−００−７、４２２１−９８−１、４２３０−９７−１、４２６５−１６−１、４２６５−９７−８、４３１２−９９−６、４３５１−１０−４、４３５１−５４−６、４３５３−０１−９、４３５９−４７−１、４３５９−５７−３、４３６０−４７−８、４３６１−２３−３、４３６２−２２−５、４３６４−０６−１、４３９５−９２−０、４４１１−８９−６、４４２７−５６−９、４４３０−３１−３、４４３３−３６−７、４４３７−２０−１、４４３７−５１−８、４４４０−６５−７、４４４２−７９−９、４４８８−５７−７、４４９３−４２−９、４５０１−５８−０、４５３６−２３−６、４５７３−５０−６、４６０２−８４−０、４６０６−１５−９、４６１０−１１−１、４６２１−０４−９、４６３０−０７−３、４６３０−８２−４、４６４３−２７−０、４６７０−５６−８、４６７４−５０−４、４６７５−８７−０、４６９５−６２−９、４７０６−８１−４、４７０７−４７−５、４７２８−８２−９、４７３２−１３−２、４７４０−７９−８、４７４４−０８−５、４７４７−０７−３、４７４８−７８−１、４７５５−８３−３、４７５７−２３−７、４７９８−４４−１、４８０２−２０−４、４８１９−６７−４、４８２６−６２−４、４８６１−８５−２、４８６４−６１−３、４８８４−２４−６、４８８７−３０−３、４９０６−２４−５、４９２７−３６−０、４９２７−３９−３、４９３８−５２−７、４９４１−７８−０、４９４８−２８−１、４９５１−４８−８、５０７７−６７−８、５０９０−４１−５、５１３２−７５−２、５１３７−５２−０、５１６６−５３−０、５１８２−３６−５、５２０５−０７−２、５２０５−１０−７、５２０５−１１−８、５２０８−５９−３、５２４０−３２−４、５２９２−２１−７、５３２０−７５−２、５３３１−１４−６、５３３１−３２−８、５３３３−４２−６、５３４０−３６−３、５３４９−５１−９、５３４９−６２−２、５３５０−０３−８、５３９２−４０−５、５３９２−４０−５、５３９６−８９−４、５４０５−４１−４、５４０５−５８−３、５４０６−５８−６、５４１３−６０−５、５４２１−００−１、５４２１−１２−５、５４２１−１７−０、５４２１−２７−２、５４２６−７８−８、５４３４−５７−１、５４３５−６４−３、５４４１−０６−５、５４４１−５６−５、５４４２−００−２、５４４４−７５−７、５４４８−２２−６、５４５１−５２−５、５４５１−８０−９、５４５１−８５−４、５４５１−８８−７、５４５２−０７−３、５４５２−７５−５、５４５４−０９−１、５４５４−１１−５、５４５４−１９−３、５４５４−２１−７、５４５４−２２−８、５４５４−２８−４、５４５７−７０−５、５４５８−５９−３、５４５９−９８−３、５４６１−０２−９、５４６１−０６−３、５４６１−０８−５、５４６２−０６−６、５４６６−０６−８、５４６８−０５−３、５４６８−０６−４、５４７１−５１−２、５５０２−７５−０、５５２４−０５−０、５５３３−０３−９、５５６１−０８−０、５５７９−７８−２、５６１７−６４−１、５６５５−６１−８、５６６０−６０−６、５６９４−７２−４、５６９４−８２−６、５７０３−２６−４、５７１８−７５−２、５７６０−５０−９、５７６４−８５−２、５７９４−０３−６、５７９４−０４−７、５８２０−８９−３、５８３７−７８−５、５８７０−６８−８、５８７０−９３−９、５９１０−８９−４、５９２１−８２−４、５９３２−６８−３、５９３３−８７−９、５９４７−３６−４、５９４９−０５−３、５９８６−３８−９、５９８６−５５−０、５９８８−９１−０、５９８９−０５−９、５９８９−２７−５、５９８９−３３−３、５９８９−５４−８、６０３２−２９−７、６０５１−０３−２、６０６６−４９−５、６０７０−１４−０、６０９０−１５−９、６０９１−５０−５、６１２６−５０−７、６１３２−０４−３、６１７５−４９−１、６１８９−７６−０、６１９１−７１−５、６２２１−９２−７、６２２１−９３−８、６２２２−３５−１、６２４３−１０−３、６２５９−７６−３、６２５９−７７−４、６２６１−１８−３、６２７０−０３−７、６２８１−４０−９、６２８３−９２−７、６２９０−１７−１、６２９０−３７−５、６２９７−４１−２、６２９７−４８−９、６３０９−５１−９、６３１４−９７−２、６３１５−０４−４、６３２４−７８−３、６３７８−６５−０、６３７９−７３−３、６３８０−２８−５、６３８１−９２−６、６３８２−０６−５、６３８２−１３−４、６４１３−１０−１、６４１３−２６−９、６４１４−３２−０、６４５７−３０−３、６４７１−６６−５、６４８５−４０−１、６４９３−８０−７、６５１３−０３−７、６５６１−３９−３、６６２２−７６−０、６６２４−７１−１、６６３５−２２−９、６６３８−０５−７、６６５８−４８−６、６７０７−６０−４、６７０９−３９−３、６７２０−１６−７、６７２８−２６−３、６７２８−３１−０、６７８４−０８−３、６７８４−１３−０、６７８９−８０−６、６７８９−８８−４、６７９０−５８−５、６８０７−１１−０、６８１２−７８−８、６８１９−１９−８、６８７６−１２−６、６８７６−１３−７、６９０１−９７−９、６９３１−５４−０、６９３８−４５−０、６９３９−３５−１、６９３９−７５−９、６９５６−３７−２、６９６３−４４−６、６９６３−５６−０、６９６９−４９−９、６９７６−７２−３、７０１１−８３−８、７０２８−４８−０、７０５３−７９−４、７０６９−４１−２、７０７０−１５−７、７１１１−２９−７、７１４３−６９−３、７１４８−７８−９、７１４９−２３−７、７１４９−２４−８、７１４９−２６−０、７１４９−３２−８、７１４９−３４−０、７１５５−１２−６、７１５８−２５−０、７１９３−８７−５、７２１２−４０−０、７２１２−４４−４、７２１４−１８−８、７２１６−５６−０、７２８９−５２−３、７２９９−９１−４、７３０６−１２−９、７３３５−２６−４、７３６１−８０−０、７３６７−７８−４、７３６７−８１−９、７３６７−８３−１、７３６７−８４−２、７３６７−８８−６、７３７０−４４−７、７３７０−９２−５、７３８４−９８−７、７３８８−２２−９、７３９２−１９−０、７３９９−５０−０、７４０２−２９−１、７４０３−４２−１、７４１６−３５−５、７４５２−７９−１、７４６０−７４−４、７４９１−０２−３、７４９２−３７−７、７４９２−３９−９、７４９２−４１−３、７４９２−４４−６、７４９２−４５−７、７４９２−６５−１、７４９２−６６−２、７４９２−６７−３、７４９２−７０−８、７４９３−５７−４、７４９３−５８−５、７４９３−５９−６、７４９３−６３−２、７４９３−６５−４、７４９３−６６−５、７４９３−６９−８、７４９３−７２−３、７４９３−７４−５、７４９３−７５−６、７４９３−７６−７、７４９３−７８−９、７４９３−７９−０、７４９３−８０−３、７４９３−８２−５、７４９５−８４−３、７５００−４２−７、７５０４−６６−７、７５４０−５１−４、７５４０−５３−６、７５４１−４９−３、７５４９−３３−９、７５４９−３７−３、７５４９−４１−９、７５５４−１２−３、７５９８−６０−９、７７３２−１８−５、７７５６−９６−９、７７６４−５０−３、７７７４−４４−９、７７７４−６０−９、７７７４−６５−４、７７７４−７９−０、７７７４−８２−５、７７７４−９６−１、７７７５−００−０、７７７５−３８−４、７７７５−３９−５、７７７８−８３−８、７７７８−８７−２、７７７８−９６−３、７７７９−０７−９、７７７９−１６−０、７７７９−１７−１、７７７９−２３−９、７７７９−３０−８、７７７９−４１−１、７７７９−５０−２、７７７９−５４−６、７７７９−６５−９、７７７９−６７−１、７７７９−７０−６、７７７９−７２−８、７７７９−７３−９、７７７９−７５−１、７７７９−７７−３、７７７９−７８−４、７７７９−８０−８、７７７９−８１−９、７７７９−９４−４、７７８０−０６−５、７７８４−６７−０、７７８４−９８−７、７７８５−２６−４、７７８５−３３−３、７７８５−５３−７、７７８５−５４−８、７７８５−６４−０、７７８５−６５−１、７７８５−７０−８、７７８６−２９−０、７７８６−４４−９、７７８６−４７−２、７７８６−４８−３、７７８６−５８−５、７７８６−６１−０、７７８６−６７−６、７７８７−２０−４、８０００−２５−７、８０００−２５−７、８０００−２５−７、８０００−２５−７、８０００−２５−７、８０００−２５−７、８０００−２５−７、８０００−２５−７、８００
０−２５−７、８０００−２５−７、８０００−２５−７、８０００−２６−８、８０００−２６−８、８０００−２６−８、８０００−２８−０、８０００−２８−０、８０００−２８−０、８０００−２８−０、８０００−２８−０、８０００−２８−０、８０００−２８−０、８０００−２８−０、８０００−２９−１、８０００−２９−１、８０００−２９−１、８０００−３４−８、８０００−３４−８、８０００−３４−８、８０００−３４−８、８０００−３４−８、８０００−３４−８、８０００−４１−７、８０００−４２−８、８０００−４２−８、８０００−４６−２、８０００−４６−２、８０００−４６−２、８０００−４６−２、８０００−４６−２、８０００−４８−４、８０００−４８−４、８０００−４８−４、８０００−４８−４、８０００−４８−４、８０００−４８−４、８０００−６６−６、８０００−６６−６、８０００−６８−８、８０００−６８−８、８０００−６８−８、８０００−６８−８、８０００−６８−８、８０００−７８−０、８０００−７８−０、８０００−７８−０、８０００−７８−０、８００１−０４−５、８００１−２１−６、８００１−２５−０、８００１−２５−０、８００１−２５−０、８００１−２５−０、８００１−２５−０、８００１−２５−０、８００１−２６−１、８００１−２６−１、８００１−２６−１、８００１−３１−８、８００１−６１−４、８００１−６９−２、８００２−０９−３、８００２−１３−９、８００２−５６−０、８００２−６０−６、８００２−６０−６、８００２−６６−２、８００２−６６−２、８００２−７２−０、８００２−７２−０、８００２−７２−０、８００２−７２−０、８００２−７２−０、８００２−７３−１、８００２−７３−１、８００２−７３−１、８００２−７３−１、８００２−７３−１、８００６−３９−１、８００６−６４−２、８００６−７５−５、８００６−７５−５、８００６−７５−５、８００６−７５−５、８００６−７５−５、８００６−７５−５、８００６−７５−５、８００６−７５−５、８００６−７７−７、８００６−７７−７、８００６−７７−７、８００６−７７−７、８００６−７７−７、８００６−７７−７、８００６−７７−７、８００６−７８−８、８００６−７８−８、８００６−８１−３、８００６−８１−３、８００６−８１−３、８００６−８１−３、８００６−８１−３、８００６−８２−４、８００６−８２−４、８００６−８２−４、８００６−８３−５、８００６−８４−６、８００６−８６−８、８００６−８７−９、８００６−８７−９、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００７−００−９、８００７−００−９、８００７−０１−０、８００７−０１−０、８００７−０１−０、８００７−０１−０、８００７−０１−０、８００７−０１−０、８００７−０１−０、８００７−０１−０、８００７−０２−１、８００７−０２−１、８００７−０２−１、８００７−０４−３、８００７−０４−３、８００７−０６−５、８００７−０８−７、８００７−０８−７、８００７−０８−７、８００７−０８−７、８００７−１１−２、８００７−１１−２、８００７−１１−２、８００７−１２−３、８００７−１２−３、８００７−２０−３、８００７−２０−３、８００７−２０−３、８００７−３５−０、８００７−４６−３、８００７−４６−３、８００７−４６−３、８００７−４６−３、８００７−４７−４、８００７−４７−４、８００７−４８−５、８００７−４８−５、８００７−７０−３、８００７−７０−３、８００７−７０−３、８００７−７０−３、８００７−７０−３、８００７−７５−８、８００７−７５−８、８００７−７５−８、８００７−７５−８、８００７−７５−８、８００７−７５−８、８００７−８０−５、８００７−８０−５、８００７−８７−２、８００７−８７−２、８００８−２６−２、８００８−２６−２、８００８−２６−２、８００８−２６−２、８００８−２６−２、８００８−２６−２、８００８−２６−２、８００８−２６−２、８００８−２６−２、８００８−２６−２、８００８−２６−２、８００８−２６−２、８００８−３１−９、８００８−３１−９、８００８−３１−９、８００８−３１−９、８００８−３１−９、８００８−３１−９、８００８−３１−９、８００８−３１−９、８００８−３１−９、８００８−３１−９、８００８−３１−９、８００８−３１−９、８００８−４５−５、８００８−４５−５、８００８−４５−５、８００８−４５−５、８００８−４５−５、８００８−５１−３、８００８−５２−４、８００８−５２−４、８００８−５２−４、８００８−５２−４、８００８−５２−４、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−７４−０、８００８−７４−０、８００８−７４−０、８００８−７９−５、８００８−７９−５、８００８−７９−５、８００８−７９−５、８００８−８０−８、８００８−８８−６、８００８−８８−６、８００８−９３−３、８００８−９３−３、８００８−９３−３、８００８−９３−３、８００８−９８−８、８００８−９８−８、８０１２−８９−３、８０１２−８９−３、８０１２−９１−７、８０１３−１２−５、８０１３−７５−０、８０１３−７６−１、８０１３−９０−９、８０１３−９７−６、８０１３−９９−８、８０１３−９９−８、８０１４−０９−３、８０１４−０９−３、８０１４−０９−３、８０１４−０９−３、８０１４−０９−３、８０１４−１３−９、８０１４−１３−９、８０１４−１７−３、８０１４−１７−３、８０１４−１７−３、８０１４−１７−３、８０１４−１７−３、８０１４−１７−３、８０１４−１９−５、８０１４−２９−７、８０１４−２９−７、８０１５−０１−８、８０１５−０１−８、８０１５−０１−８、８０１５−０１−８、８０１５−６２−１、８０１５−６２−１、８０１５−６４−３、８０１５−６４−３、８０１５−６４−３、８０１５−６４−３、８０１５−６４−３、８０１５−６４−３、８０１５−７３−４、８０１５−７３−４、８０１５−７３−４、８０１５−７３−４、８０１５−７３−４、８０１５−７３−４、８０１５−７３−４、８０１５−７３−４、８０１５−７３−４、８０１５−７７−８、８０１５−７７−８、８０１５−７７−８、８０１５−８８−１、８０１５−８８−１、８０１５−８８−１、８０１５−９０−５、８０１５−９０−５、８０１５−９０−５、８０１５−９１−６、８０１５−９１−６、８０１５−９１−６、８０１５−９１−６、８０１５−９１−６、８０１５−９１−６、８０１５−９２−７、８０１５−９２−７、８０１５−９２−７、８０１６−０３−３、８０１６−０３−３、８０１６−０３−３、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２１−５、８０１６−２１−５、８０１６−２１−５、８０１６−２３−７、８０１６−２３−７、８０１６−２６−０、８０１６−２６−０、８０１６−２６−０、８０１６−２６−０、８０１６−２６−０、８０１６−２６−０、８０１６−３１−７、８０１６−３１−７、８０１６−３６−２、８０１６−３６−２、８０１６−３７−３、８０１６−３７−３、８０１６−３７−３、８０１６−３７−３、８０１６−３８−４、８０１６−３８−４、８０１６−３８−４、８０１６−３８−４、８０１６−４２−０、８０１６−６３−５、８０１６−６３−５、８０１６−６３−５、８０１６−６３−５、８０１６−６３−５、８０１６−６３−５、８０１６−６３−５、８０１６−６３−５、８０１６−６３−５、８０１６−６８−０、８０１６−６９−１、８０１６−７８−２、８０１６−７８−２、８０１６−８４−０、８０１６−８４−０、８０１６−８４−０、８０１６−８４−０、８０１６−８４−０、８０１６−８４−０、８０１６−８４−０、８０１６−８４−０、８０１６−８４−０、８０１６−８５−１、８０１６−８５−１、８０１６−８５−１、８０１６−８５−１、８０１６−８５−１、８０１６−８８−４、８０１６−８８−４、８０２１−２９−２、８０２１−３９−４、８０２２−０７−９、８０２２−０７−９、８０２２−０７−９、８０２２−０７−９、８０２２−１５−９、８０２２−１５−９、８０２２−１５−９、８０２２−１８−２、８０２２−５６−８、８０２２−５６−８、８０２２−５６−８、８０２２−５６−８、８０２２−５６−８、８０２２−５６−８、８０２２−５６−８、８０２２−５６−８、８０２２−５６−８、８０２２−５６−８、８０２２−９６−６、８０２２−９６−６、８０２２−９６−６、８０２２−９６−６、８０２２−９６−６、８０２２−９６−６、８０２２−９６−６、８０２２−９６−６、８０２２−９６−６、８０２２−９６−６、８０２２−９６−６、８０２２−９６−６、８０２３−７６−５、８０２３−７８−７、８０２３−７８−７、８０２３−８３−４、８０２３−８３−４、８０２３−８３−４、８０２３−８３−４、８０２３−８９−０、８０２３−８９−０、８０２３−８９−０、８０２３−９１−４、８０２３−９１−４、８０２３−９１−４、８０２３−９９−２、８０２３−９９−２、８０２３−９９−２、８０２３−９９−２、８０２４−００−８、８０２４−０３−１、８０２４−０５−３、８０２４−０５−３、８０２４−０６−４、８０２４−０６−４、８０２４−０６−４、８０２４−０８−６、８０２４−０８−６、８０２４−１５−５、８０２４−３５−９、８０２４−４０−６、８０２８−４７−５、８０２８−４８−６、８０２８−４８−６、８０２８−４８−６、８０２８−４８−６、８０２８−４８−６、８０２８−４８−６、８０３０−２８−２、８０３０−２８−２、８０３０−２８−２、８０３０−２８−２、８０３０−５５−５、８０３０−５５−５、８０３０−５５−５、８０３０−８９−５、８０３０−９７−５、８０３１−０３−６、８０３１−０３−６、８０３１−０３−６、８０３１−０３−６、８０３８−６５−１、８０３８−６５−１、８０４６−１９−３、８０４６−１９−３、８０４６−２２−８、８０４６−２２−８、８０４７−２４−３、８０４７−２４−３、８０４８−５１−９、８０４８−５１−９、８０５０−０７−５、８０５０−０７−５、８０５０−０７−５、８０５０−１５−５、８０５２−１４−０、８０５２−１４−０、８０５３−３３−６、８０５３−３９−２、８０５７−４９−６、８０５７−４９−６、８０５７−４９−６、８０５７−４９−６、８０６０−２８−４、８０６０−２８−４、８０６０−２８−４、８０６０−２８−４、９０００−０４−８、９０００−０４−８、９０００−０５−９、９０００−０５−９、９０００−０５−９、９０００
−０５−９、９０００−０５−９、９０００−０５−９、９０００−１２−８、９０００−２４−２、９０００−２４−２、９０００−２４−２、９０００−４０−２、９０００−４５−７、９０００−４５−７、９０００−４５−７、９０００−４５−７、９０００−４５−７、９０００−４５−７、９０００−５７−１、９０００−６４−０、９０００−６４−０、９０００−６４−０、９０００−６４−０、９０００−７２−０、９０００−７２−０、９０００−７２−０、９０００−７２−０、９０００−７２−０、９０００−７５−３、９０００−７５−３、９０００−７５−３、９０００−７５−３、９０００−７８−６、９０００−７８−６、９０００−７８−６、９０００−７８−６、９００５−９０−７、１００２２−２８−３、１００２４−５６−３、１００２４−５７−４、１００２４−６４−３、１００３１−７１−７、１００３１−８２−０、１００３１−８６−４、１００３１−８７−５、１００３１−９０−０、１００３１−９３−３、１００３１−９６−６、１００３２−００−５、１００３２−０２−７、１００３２−０５−０、１００３２−０８−３、１００３２−１１−８、１００３２−１３−０、１００３２−１５−２、１００５８−４３−２、１００７２−０５−６、１００９４−３４−５、１００９４−３６−７、１００９４−４０−３、１００９４−４１−４、１００９９−５７−７、１０１０８−８０−２、１０１３８−６３−３、１０１４３−３２−５、１０１５２−７７−９、１０１９８−２３−９、１０２０３−２８−８、１０２３３−１３−３、１０２３５−６３−９、１０２３６−１６−５、１０２５０−４５−０、１０２７６−８５−４、１０３３９−５５−６、１０３３９−６１−４、１０３４０−２３−５、１０３４８−４７−７、１０３６１−３９−４、１０４０２−３３−２、１０４０２−４７−８、１０４０２−５２−５、１０４１１−９２−４、１０４１５−８７−９、１０４１５−８８−０、１０４４４−５０−５、１０４４８−２６−７、１０４５８−１４−７、１０４７１−１４−４、１０４７１−９６−２、１０４７２−２４−９、１０４８２−５５−０、１０４８２−５６−１、１０４８２−６５−２、１０４８２−７７−６、１０４８２−７９−８、１０４８４−０９−０、１０４８４−２３−８、１０４８４−３５−２、１０４８４−３６−３、１０４８４−５６−７、１０４８６−１４−３、１０４８６−１９−８、１０５１９−１１−６、１０５１９−１２−７、１０５１９−３３−２、１０５２１−９１−２、１０５２１−９６−７、１０５２２−２６−６、１０５２２−３２−４、１０５２２−３３−５、１０５２２−４１−５、１０５４４−６３−５、１０５８０−２５−３、１０５８８−１０−０、１０５８８−１５−５、１０５９９−７０−９、１１０２８−４２−５、１１０３１−４５−１、１１０５０−６２−７、１２２６２−０３−２、１３００２−０９−０、１３００２−１１−４、１３０１９−２２−２、１３０５８−１２−３、１３０７４−６３−０、１３０７４−６５−２、１３１０９−７０−１、１３１１２−６５−７、１３１４４−８８−２、１３１７１−００−１、１３１８４−８６−６、１３２０１−４６−２、１３２１５−８８−８、１３２５４−３４−７、１３２５７−４４−８、１３２６２−２７−６、１３２８５−５１−３、１３３２７−５６−５、１３３４１−７２−５、１３３５１−６１−６、１３３６０−６５−１、１３３８０−８９−７、１３３８０−９４−４、１３４２９−０７−７、１３４４２−９０−５、１３４４２−９２−７、１３４６６−７８−９、１３４７７−６２−８、１３４８１−０９−９、１３４８１−８７−３、１３４８７−２７−９、１３４９１−７９−７、１３４９４−０６−９、１３４９４−０８−１、１３５３２−１８−８、１３５４８−８４−０、１３５５２−９６−０、１３５６７−３９−０、１３６０２−０９−０、１３６２３−１１−５、１３６７４−１９−６、１３６７８−５９−６、１３６７９−７０−４、１３６７９−８５−１、１３６７９−８６−２、１３７０８−１２−８、１３７２０−１２−２、１３７２０−１３−３、１３７８６−７９−３、１３７９４−７３−５、１３８１１−７１−７、１３８１６−３３−６、１３８２８−３７−０、１３８５１−０６−４、１３８５１−１１−１、１３８７７−９１−３、１３８７７−９３−５、１３８９４−６１−６、１３８９４−６２−７、１３８９４−６３−８、１３９２５−００−３、１３９２５−０６−９、１３９２５−０７−０、１３９４５−７６−１、１４０４９−１１−７、１４０７３−９７−３、１４２５０−９５−４、１４２８９−６５−７、１４３０９−５７−０、１４３７４−９２−６、１４４３６−３２−９、１４４８１−５２−８、１４４８１−５５−１、１４５７６−０８−０、１４６１７−９２−６、１４６２０−５２−１、１４６６７−５５−１、１４７２７−４７−０、１４７３５−７２−９、１４７６５−３０−１、１４８５２−３１−４、１４９０１−０７−６、１５１０３−３２−９、１５１０３−３３−０、１５１１１−５６−５、１５１１１−９６−３、１５１４９−１０−７、１５１８６−５１−３、１５３２３−３５−０、１５３５６−６０−２、１５３５６−７４−８、１５３７３−３１−６、１５３９９−０５−０、１５４５６−７０−９、１５５１４−３０−０、１５５３７−５５−０、１５５９１−９０−９、１５６７９−１２−６、１５６７９−１３−７、１５７０６−７３−７、１５７０７−２３−０、１５７０７−２４−１、１５７６０−１８−６、１５７６４−０４−２、１５７６４−１６−６、１５７６６−６６−２、１５９３２−８０−６、１５９８６−８０−８、１６０２１−０８−２、１６２５１−７７−７、１６３５６−１１−９、１６４００−７２−９、１６４０９−４３−１、１６４０９−４４−２、１６４０９−４５−３、１６４０９−４６−４、１６４２９−０７−５、１６４２９−２１−３、１６４９１−２４−０、１６４９１−３６−４、１６４９１−５４−６、１６４９３−８０−４、１６５０９−４６−９、１６５１０−２７−３、１６５５６−４８−２、１６５８７−７１−６、１６９３０−９３−１、１６９３０−９６−４、１６９３９−７３−４、１６９５７−７０−３、１７１０２−６４−６、１７１６２−２９−７、１７２８３−８１−７、１７３６９−５７−２、１７３６９−５９−４、１７３６９−６０−７、１７３７３−８９−６、１７４８８−６５−２、１７５１１−６０−３、１７５１１−６１−４、１７５９７−９５−４、１７６１０−２４−１、１７６２７−４４−０、１７６９９−１６−０、１７７３５−９９−８、１７９０９−７７−２、１７９１６−９１−５、１８０３１−４０−８、１８０９６−６２−３、１８１２７−０１−０、１８１３８−０４−０、１８１７２−６７−３、１８１８５−８１−４、１８１８９−０２−１、１８１８９−０５−４、１８１８９−０７−６、１８２７７−２７−５、１８２９４−８７−６、１８３０９−２８−９、１８３０９−３２−５、１８３３９−１６−７、１８３５８−５３−７、１８３６２−９７−５、１８３６８−９１−７、１８３８３−４９−８、１８４０２−８２−９、１８４０９−１７−１、１８４０９−１８−２、１８４０９−２１−７、１８４３３−９３−７、１８４３６−３７−８、１８４５１−９６−２、１８４７９−４９−７、１８４７９−５１−１、１８４７９−５４−４、１８４７９−５７−７、１８４７９−５８−８、１８４７９−５８−８、１８４７９−６８−０、１８４８５−３８−６、１８４９２−６５−４、１８４９２−６６−５、１８６４０−７４−９、１８６７５−１６−６、１８６７５−１７−７、１８６７９−１８−０、１８７９４−８４−８、１８８２４−６３−０、１８８２９−５６−６、１８８３６−５２−７、１８８７１−１４−２、１８８７１−１４−２、１９００９−５６−４、１９０８９−９２−０、１９０９３−２０−０、１９１３９−３１−２、１９１４１−４０−３、１９３１７−１１−４、１９３２２−２７−１、１９３２９−８９−６、１９３４３−７８−３、１９４６４−９４−９、１９４８７−６１−７、１９５５０−５４−０、１９７００−２１−１、１９７８１−１３−６、１９７８８−４９−９、１９８１９−９８−８、１９８７０−７４−７、１９８７２−５２−７、１９８８３−２９−５、１９９０２−０８−０、２０００９−２０−５、２００３０−３０−２、２００５３−８８−７、２０１２５−８４−２、２０１２５−８５−３、２０２７３−２４−９、２０２７９−２５−８、２０２７９−４３−０、２０２７９−５１−０、２０２９０−８４−０、２０２９２−０９−５、２０２９８−６９−５、２０２９８−７０−８、２０３０７−８４−０、２０４０７−８４−５、２０４８３−３６−７、２０５９２−１０−３、２０６６２−８４−４、２０６６５−８５−４、２０６８０−１０−８、２０６９１−５２−５、２０７７０−４０−５、２０７７７−３９−３、２０７７７−４７−３、２０７７７−４９−５、２０７８０−４８−７、２０７８０−４８−７、２０７８０−４９−８、２０８３４−５９−７、２０８５９−１０−３、２０８８３−１６−３、２０９２０−８３−６、２１０１６−４６−６、２１０６３−７１−８、２１１１２−３７−８、２１１２９−２７−１、２１１４５−７７−７、２１１８８−５８−９、２１１８８−６１−４、２１２８０−２９−５、２１３６８−６８−３、２１６５３−２０−３、２１６６１−９７−２、２１６６２−０９−９、２１６６２−１３−５、２１６９０−４３−７、２１７２２−８３−８、２１８３４−９２−４、２１８３５−００−７、２１８３５−０１−８、２１８６２−６３−５、２１９４４−９８−９、２１９６４−４４−３、２２００９−３７−６、２２０２９−７６−１、２２０３０−１９−９、２２０３７−８８−３、２２０４７−２５−２、２２０９４−００−４、２２１０４−７８−５、２２１０４−７９−６、２２１０４−８０−９、２２１０４−８１−０、２２４１４−７０−６、２２４１８−６６−２、２２４５１−６３−４、２２４５７−２３−４、２２４５７−２５−６、２２４６０−９５−３、２２６１０−８６−２、２２６２９−４８−７、２２６２９−４９−８、２２６９０−２７−３、２２７１７−５７−３、２２７１９−８１−９、２２７７１−４４−４、２２８１０−１０−２、２２８７４−７９−９、２２８８２−８９−９、２２８８２−９１−３、２３０８９−２６−１、２３１４７−５７−１、２３２６７−５７−４、２３３３３−９１−７、２３３６１−８８−８、２３４９５−１２−７、２３５１１−７０−８、２３５５０−４０−５、２３６９６−８５−７、２３７２６−９１−２、２３７２６−９２−３、２３７２６−９３−４、２３７２６−９４−５、２３７３３−８８−２、２３７４７−４８−０、２３７８７−９０−８、２３８３２−１８−０、２３９５０−９８−３、２３９８５−２５−３、２３９８６−７４−５、２４０４８−１３−３、２４０４８−１４−４、２４０８９−００−７、２４１６８−７０−５、２４２０２−００−４、２４２３７−００−１、２４２３７−０１−２、２４２３７−０２−３、２４２３８−９５−７、２４２９５−０３−２、２４３１７−９４−０、２４３２３−３８−４、２４６５０−４２−８、２４６８０−５０−０、２４６８３−００−９、２４６９１−１５−４、２４６９１−１７−６、２４７００−２０−７、２４７１７−８５−９、２４７１７−８６−０、２４７２０−０９−０、２４８１７−５１−４、２４８５１−９８−７、２５０１３−１６−５、２５１５２−８５−６、２５２２５−０８−５、２５２２５−０９−６、２５２２５−１０−９、２５２２６−９８−６、２５２６３−９７−２、２５２６５−７１−８、２５２７９−０９−８、２５３０４−１４−７、２５３１２−３４−９、２５３３４−９３−４、２５３３９−１７−７、２５３４０−１７−４、２５３９５−３１−７、２５４１５−６２−７、２５４１５−６７−２、２５４１５−７７−４
、２５４３５−６３−６、２５５２４−９５−２、２５６２８−８４−６、２５６８０−５８−４、２５７７３−４０−４、２５９０５−１４−０、２５９６６−７９−４、２６００１−５８−１、２６１６０−８３−８、２６１７１−７８−８、２６２５２−１１−９、２６３３０−６４−３、２６３３０−６５−４、２６３７０−２８−５、２６４４６−３１−１、２６４４６−３２−２、２６４８９−０１−０、２６５３７−１９−９、２６５５３−４６−８、２６６１９−６９−２、２６６４３−９１−４、２６６４３−９２−５、２６８９６−４８−０、２６９５２−２１−６、２７０３９−８４−５、２７０４３−０５−６、２７１３５−９０−６、２７１７８−１６−１、２７１９６−００−５、２７３１０−２２−１、２７４５８−９２−０、２７４５８−９４−２、２７５３８−０９−６、２７５３８−１０−９、２７５３９−９４−２、２７５７５−６１−７、２７５９３−２３−３、２７６０６−０９−３、２７６２５−３５−０、２７８２９−７２−７、２７９３９−６０−２、２８０４３−１０−９、２８０６０−９０−４、２８０６９−７２−９、２８０６９−７４−１、２８１３２−０１−６、２８２１９−６０−５、２８２１９−６１−６、２８２３１−０３−０、２８２６７−３２−５、２８２９０−９０−６、２８３６９−２４−６、２８３７１−９９−５、２８３８７−６２−４、２８４６２−８５−３、２８５８８−７４−１、２８６４５−５１−４、２８６６４−３５−９、２８７８７−３６−２、２８８３９−１３−６、２８８９７−２０−３、２８８９７−５８−７、２８９４０−１１−６、２８９５９−０２−６、２８９７７−５８−４、２９０２１−３６−１、２９０６６−３４−０、２９１２７−８３−１、２９１７１−２０−８、２９１７１−２１−９、２９２１０−７７−３、２９２１４−６０−６、２９２３９−０７−４、２９３５０−６７−２、２９３５０−７３−０、２９４６０−９２−２、２９４６１−１３−０、２９５４８−１４−９、２９５４８−３０−９、２９５９２−９２−５、２９５９２−９５−８、２９６０６−７９−９、２９７１４−８７−２、２９７５９−１１−３、２９８０６−７３−３、２９８１１−５０−５、２９８９５−７３−６、２９８９６−４５−５、２９９５７−４３−５、３００７６−９８−３、３０１００−１５−３、３０１６８−２３−１、３０２０７−９８−８、３０３１０−４１−９、３０３９０−５０−２、３０３９０−５１−３、３０４１８−８９−４、３０４６０−９２−５、３０６４０−４６−１、３０６７３−３６−０、３０６７３−３８−２、３０６７３−６０−０、３０７７２−６９−１、３０７７２−７９−３、３０８９５−７９−５、３０８９７−７５−７、３０９６０−３９−５、３０９８２−０３−７、３１１４７−３６−１、３１１４８−３１−９、３１１６１−７１−４、３１３０８−５５−１、３１３７５−１７−４、３１４９９−７２−６、３１５０１−１１−８、３１５０２−１４−４、３１５０２−１９−９、３１５６５−１９−２、３１５７４−４４−４、３１７９５−３７−６、３１８０７−５５−３、３１８４６−０６−７、３１９０６−０４−４、３１９９６−７８−８、３２０７４−５６−９、３２２１０−２３−４、３２２１４−９１−８、３２３８８−５５−９、３２３８８−５６−０、３２４３８−３１−６、３２４６６−５５−０、３２６５９−２１−５、３２６６５−２３−９、３２７３７−１４−７、３２７４１−１１−０、３２７６４−９８−０、３２７９７−５０−５、３２８０３−３９−７、３２９７４−９２−８、３３０４６−８１−０、３３０７９−５６−０、３３２８１−９１−３、３３４６７−７３−１、３３４６７−７４−２、３３４６７−７４−２、３３４６７−７６−４、３３６６２−５８−７、３３６７３−６２−０、３３６７３−６５−３、３３６７３−７１−１、３３７０４−６０−８、３３７０４−６１−９、３３８８０−８３−０、３３８８５−５１−７、３３８８５−５２−８、３３９００−８４−４、３３９４１−９９−０、３４１３１−９８−１、３４２９１−９９−１、３４３１６−６４−８、３４３２２−０６−０、３４３２２−０８−２、３４３２２−０９−３、３４３６５−７９−２、３４４１３−３５−９、３４４５１−１９−９、３４４９５−７１−１、３４５４５−８８−５、３４５９０−９４−８、３４６８６−７１−０、３４６８７−４３−９、３４７６４−０２−８、３４９６２−９１−９、３４９９５−７７−２、３５０４４−５７−６、３５０４４−５８−７、３５０４４−５９−８、３５０４４−６３−４、３５０４４−６８−９、３５０６１−６１−１、３５１２７−５０−５、３５１５１−１１−２、３５１５４−４５−１、３５１５８−２５−９、３５２０５−７６−６、３５２０６−５１−０、３５２３４−２１−０、３５２３４−２５−４、３５２７４−０５−６、３５４７２−５６−１、３５６７０−９３−０、３５７２０−５７−１、３５８５２−４６−１、３５８５４−８６−５、３６２０８−３２−９、３６２１９−７３−５、３６２６７−７１−７、３６３０６−８６−２、３６３０６−８７−３、３６３９９−１５−２、３６４３１−７２−８、３６４３８−５４−７、３６５２８−２８−６、３６６５３−８２−４、３６６８５−９７−９、３６７８９−５９−０、３７０６４−２０−３、３７１６１−７４−３、３７１７２−０２−４、３７１７２−０５−７、３７１７２−５３−５、３７１７２−５４−６、３７５１４−３０−０、３７５２６−８８−８、３７５９６−３６−４、３７６０９−２５−９、３７６１７−０３−１、３７６７４−６３−８、３７６７７−１４−８、３７８１１−７２−６、３７８３７−４４−８、３７９７３−５１−６、３７９７３−５２−７、３８０１９−８９−５、３８０４９−２６−２、３８１４２−４５−９、３８２２８−５１−２、３８２３７−００−２、３８２８５−４９−３、３８３０３−２３−０、３８４４６−２１−８、３８４６２−２２−５、３８４６２−２３−６、３８５３３−５４−９、３８６１８−２３−４、３８７１３−４１−６、３８８８８−８１−２、３９０２６−９４−３、３９０６７−３９−５、３９０６７−８０−６、３９１２９−１６−３、３９１８９−７４−７、３９２１２−２３−２、３９２５１−８６−０、３９２５５−３２−８、３９２８２−３６−５、３９５５６−４１−７、３９７７０−０４−２、３９７７０−０５−３、３９８６４−１５−８、３９８７２−５７−６、３９９００−１２−４、３９９００−３８−４、３９９２４−２７−１、３９９２４−５２−２、４０１８８−４１−８、４０２０３−７３−４、４０２６７−７２−９、４０３７９−２４−６、４０５２７−４２−２、４０５９６−７６−７、４０６５４−８２−８、４０７０２−１３−４、４０７１６−６６−３、４０７８５−６２−４、４０８５３−５３−０、４０８５３−５６−３、４０９１０−４９−４、４０９２３−６４−６、４０９４２−７３−２、４１１９９−１９−３、４１１９９−１９−３、４１２７０−８０−８、４１４１４−７５−９、４１４４８−２９−７、４１４５３−５６−９、４１４９６−４３−９、４１５１９−１８−０、４１５１９−２３−７、４１５４７−２２−２、４１６５４−１５−３、４１６７８−３６−８、４１７２３−９８−２、４１７２４−１９−０、４１７６７−０５−９、４１８１６−０３−９、４１８４７−８６−３、４１８４７−８８−５、４１８９０−９２−０、４１９２７−７１−３、４２０７５−４５−６、４２０７８−６５−９、４２１７５−４１−７、４２２３１−５０−５、４２２３１−９９−２、４２２３２−２７−９、４２２８８−７５−５、４２３４８−１２−９、４２３７０−０６−９、４２３７０−０７−０、４２４３６−０７−７、４２６０４−１２−６、４２８２２−８６−６、４２８２２−８６−６、４２８２４−６２−４、４２８６６−９１−１、４３０５２−８７−５、４５０１９−２８−１、５０３４３−３６−７、５０３７３−３６−９、５０４０５−９５−３、５０５４２−９０−０、５０６０７−６４−２、５０６２３−５７−９、５０６３８−９５−４、５０８１６−１８−７、５０９８０−８４−２、５１０１５−２８−２、５１０１５−２９−３、５１１００−５４−０、５１１１５−６３−０、５１１１５−６４−１、５１１１５−６７−４、５１１１５−８８−９、５１１１７−１９−２、５１２００−８６−３、５１３５２−６８−２、５１４１１−２４−６、５１４１４−２５−６、５１４４７−０８−６、５１５１９−６５−４、５１５３２−２６−４、５１５３４−３６−２、５１５５６−３０−０、５１５６６−６２−２、５１５９５−９１−６、５１６０８−１８−５、５１６８５−３９−３、５１６８５−４０−６、５１７５５−６６−９、５１７５５−８３−０、５１７５５−８５−２、５１７５６−０８−２、５２０８９−５５−１、５２１９１−０１−２、５２２１０−１８−１、５２３６３−４３−６、５２４７４−６０−９、５２４７５−８６−２、５２４７５−８９−５、５２５１４−６６−６、５２５１７−６７−６、５２５５７−９７−８、５２７８８−７１−３、５２９７２−１６−４、５３００４−９３−６、５３０１８−２４−９、５３０４６−９７−２、５３０８２−５８−９、５３１５３−６７−６、５３１７９−０４−７、５３２１９−２１−９、５３２４３−５９−７、５３２４３−６０−０、５３３３８−０５−９、５３３３８−０６−０、５３３９８−７８−０、５３３９８−８０−４、５３３９８−８１−５、５３３９８−８３−７、５３３９８−８４−８、５３３９８−８５−９、５３３９８−８６−０、５３３９８−８７−１、５３３９９−８１−８、５３４０５−９７−３、５３４０５−９８−４、５３４４６−６３−２、５３４４８−０７−０、５３４５２−６５−６、５３４８８−１４−５、５３４９８−３２−１、５３５３５−３３−４、５３７５１−４０−９、５３７６７−８６−５、５３７６７−９３−４、５３８３４−７０−１、５３８８９−３９−７、５４０４３−７３−１、５４０８２−６８−７、５４０８９−８３−７、５４２００−５０−９、５４３００−０８−２、５４３００−０９−３、５４３００−１０−６、５４３４０−９０−８、５４３９３−３６−１、５４４１０−９４−５、５４４４０−１７−４、５４４６４−５７−２、５４４６４−５９−４、５４４８４−７３−０、５４４９１−１７−７、５４５３３−２９−８、５４５４６−２６−８、５４６５３−２５−７、５４８１５−１３−３、５４８３０−９９−８、５４８５２−６４−１、５４８８９−４８−４、５４９４７−７４−９、５４９８２−８３−１、５４９９２−９１−５、５４９９３−３０−５、５５０５０−４０−３、５５０６６−４８−３、５５０６６−４９−４、５５０６６−５３−０、５５０６６−５４−１、５５０６６−５６−３、５５４１８−５２−５、５５５０５−２８−７、５５５１４−４８−２、５５７０４−７８−４、５５７１９−８５−２、５５７２２−５９−３、５５８８１−９６−４、５５９１５−７０−３、５６００１−４３−５、５６０１１−０２−０、５６０５７−９３−３、５６１０５−４６−５、５６１０７−０４−１、５６１３４−０５−５、５６１７２−４６−４、５６４２３−４０−６、５６４２３−４３−９、５６４３８−０９−６、５６４６９−３９−７、５６７４７−９６−７、５６８０５−２３−３、５６８３６−９３−２、５６９２２−７４−８、５６９２２−８１−７、５６９２２−８２−８、５６９６１−７３−０、５６９７３−８５−４、５７０６９−８６−０、５７０６９−８７−１、５７０７４−３４−７、５７０７４−３７−０、５７０８２−２４−３、５７０９４−４０−３、５７１２９−１２−１、５７２４６−６０−３、５７３４５−１９−４、５７３７１−４２−３、５７３７８−６８−４、５７５００−００−２、５７５６８−６０−２、５７５７６−０９−７、５７５８２−４６−４、５７７４３−６３−２、５７８５６−８１−２、５７８９３−２７−３、５７９３４
−９７−１、５７９４３−６７−６、５７９６７−６８−７、５７９６７−７２−３、５７９６７−７３−４、５７９６７−７４−５、５８００１−８８−０、５８０３１−０３−１、５８０９６−４６−１、５８０９６−４７−２、５８１０２−０２−６、５８２０６−９５−４、５８２１４−９６−３、５８２４３−８５−９、５８２４４−２９−４、５８２６０−７８−９、５８２９６−８１−４、５８４３０−９４−７、５８４３７−６９−７、５８４６１−２７−１、５８４７５−０４−０、５８４７９−５５−３、５８５５５−７４−１、５８５６７−１１−６、５８６２５−９５−９、５８６２５−９６−０、５８９１１−０５−０、５８９２７−８１−４、５８９８５−０２−７、５８９８５−１８−５、５９０２０−９０−５、５９０５２−８２−３、５９０５６−６２−１、５９０５６−６４−３、５９０５６−７０−１、５９１５１−１９−８、５９１９１−７８−５、５９２３０−５７−８、５９２５９−３８−０、５９２５９−９０−４、５９３２３−７６−１、５９３２４−１７−３、５９３５４−７１−１、５９３７６−５８−８、５９４７１−８０−６、５９５５８−２３−５、５９６３２−８５−８、５９６７２−０５−８、６００４５−２６−３、６００４５−２７−４、６００４７−１７−８、６００６６−８８−８、６０１１３−４３−１、６０１６０−１７−０、６０２３４−７２−２、６０２４１−５２−３、６０２４１−５３−４、６０２４１−５５−６、６０３０８−７５−０、６０３０８−７６−１、６０３３５−７１−９、６０４０５−５０−７、６０４１５−６１−４、６０５２３−２１−９、６０７６３−４０−８、６０７６３−４１−９、６０７６３−４２−０、６０７６３−４４−２、６０７７０−００−５、６０７８８−２５−２、６０８２６−１５−５、６０９５８−２３−８、６１０９９−５３−４、６１１１４−２４−７、６１４１５−１１−０、６１４４４−３８−０、６１４４４−３９−１、６１４４４−４１−５、６１５３１−４５−１、６１６８３−９９−６、６１６９２−７８−２、６１６９２−８３−９、６１６９２−８４−０、６１６９９−３８−５、６１７０２−９１−８、６１７５８−０３−０、６１７５９−６４−６、６１７８９−５３−５、６１７８９−９２−２、６１７８９−９２−２、６１７８９−９２−２、６１７８９−９２−２、６１７９２−１１−８、６１７９２−１２−９、６１８１０−５５−７、６１８２６−５２−６、６１８２６−５３−７、６１８２６−５６−０、６１９２０−４５−４、６１９３１−８０−４、６１９３１−８１−５、６１９４９−２３−３、６２０６２−８５−５、６２１５１−５６−８、６２３４６−９６−７、６２３９５−４５−３、６２４０６−７３−９、６２４３９−４１−２、６２４８８−２４−８、６２４８８−５６−６、６２５０１−２４−０、６２５１８−６５−４、６２５６３−８０−８、６３０９５−３３−０、６３１８７−９１−７、６３２５３−２４−７、６３２７０−１４−４、６３４２９−２８−７、６３４４９−６４−９、６３４４９−６８−３、６３４４９−８８−７、６３４４９−８９−８、６３４４９−９５−６、６３４５０−３０−６、６３５００−７１−０、６３６４９−５１−４、６３８２６−２５−５、６３８８５−０９−６、６４００１−１５−６、６４１６５−５７−７、６４１８７−８３−３、６４２７５−７３−６、６４４６１−９９−０、６４５７７−９１−９、６４６４４−３２−２、６４６４４−３４−４、６４６４４−３６−６、６４８２５−２０−３、６４９８８−０６−３、６５１１３−９５−３、６５１１３−９９−７、６５１１４−０３−６、６５１５５−４５−５、６５４０５−６７−６、６５４０５−６８−７、６５４０５−６９−８、６５４０５−７０−１、６５４０５−７２−３、６５４０５−７３−４、６５４０５−７６−７、６５４０５−７７−８、６５４０５−８０−３、６５４０５−８４−７、６５４１６−１４−０、６５４１６−１７−３、６５４１６−２０−８、６５４１６−２１−９、６５４１６−２６−４、６５４４２−３１−１、６５４４３−１４−３、６５５０５−２４−０、６５５０５−２５−１、６５５３０−５３−２、６５６２０−５０−０、６５６５２−２８−０、６５６５２−３３−７、６５７３７−５２−２、６５８１３−５３−８、６５９９６−９８−７、６５９９６−９９−８、６５９９７−０６−０、６６００８−６５−９、６６００８−６６−０、６６０６２−７８−０、６６０６８−８４−６、６６０７２−３２−０、６６３２７−５４−６、６６４０８−７８−４、６６４７１−４９−６、６６５７６−７１−４、６６８４８−４０−６、６６８４８−４１−７、６７０１９−８９−０、６７０２８−４０−４、６７１１４−３８−９、６７２３４−０４−２、６７３５５−３８−８、６７３９２−１５−８、６７４５２−２７−１、６７５８３−７７−１、６７６０１−０５−２、６７６３３−９２−５、６７６３３−９３−６、６７６３３−９４−７、６７６３３−９５−８、６７６３３−９６−９、６７６３３−９８−１、６７６３３−９９−２、６７６３４−００−８、６７６３４−０１−９、６７６３４−０２−０、６７６３４−０３−１、６７６３４−０４−２、６７６３４−０５−３、６７６３４−０６−４、６７６３４−０７−５、６７６３４−０８−６、６７６３４−０９−７、６７６３４−１１−１、６７６３４−１２−２、６７６３４−１４−４、６７６３４−１５−５、６７６３４−１６−６、６７６３４−１７−７、６７６３４−２０−２、６７６３４−２２−４、６７６３４−２３−５、６７６３４−２４−６、６７６３４−２５−７、６７６３４−２６−８、６７６６２−９６−８、６７６６３−０１−８、６７６６３−０３−０、６７６６３−０５−２、６７６７４−３６−６、６７６７４−３７−７、６７６７４−４１−３、６７６７４−４６−８、６７６７４−４７−９、６７６８９−５０−３、６７７０１−３３−１、６７７０７−７５−９、６７７１０−７１−８、６７７１５−７９−１、６７７１５−８０−４、６７７１５−８１−５、６７７１５−８２−６、６７７７０−７９−０、６７７８５−６９−７、６７７８５−７１−１、６７７８５−７６−６、６７７８５−７７−７、６７８００−８０−０、６７８００−８６−６、６７８０１−１６−５、６７８０１−１７−６、６７８０１−２０−１、６７８０１−２３−４、６７８０１−２７−８、６７８０１−２９−０、６７８０１−３０−３、６７８０１−３１−４、６７８０１−３２−５、６７８０１−３３−６、６７８０１−３６−９、６７８０１−３７−０、６７８０１−３８−１、６７８０１−３９−２、６７８０１−４０−５、６７８０１−４１−６、６７８０１−４２−７、６７８０１−４３−８、６７８０１−４４−９、６７８０１−４５−０、６７８０１−４６−１、６７８０１−４７−２、６７８０１−６４−３、６７８０１−６５−４、６７８２８−１９−７、６７８４５−３０−１、６７８４５−４２−５、６７８４５−４６−９、６７８４５−５０−５、６７８４５−５８−３、６７８４５−５９−４、６７８５９−９６−５、６７８６０−００−８、６７８６０−０１−９、６７８７４−６７−３、６７８７４−６８−４、６７８７４−６９−５、６７８７４−７２−０、６７８７４−７３−１、６７８７４−７４−２、６７８７４−７７−５、６７８７４−７８−６、６７８７４−８０−０、６７８７４−８１−１、６７８８３−７９−８、６７８９０−７９−３、６７９０５−４０−２、６７９１９−６７−９、６７９２０−６３−２、６７９２０−９４−９、６７９２３−７９−９、６７９２３−８２−４、６７９２３−８３−５、６７９２３−８４−６、６７９２３−８５−７、６７９２３−８６−８、６７９２４−１３−４、６７９２４−１４−５、６７９５２−５７−２、６７９５２−６５−２、６７９５２−６８−５、６７９９９−５６−８、６７９９９−５６−８、６８０３９−２４−７、６８０３９−２６−９、６８０３９−３４−９、６８０３９−３５−０、６８０３９−３８−３、６８０３９−３９−４、６８０３９−４０−７、６８０３９−４１−８、６８０３９−４２−９、６８０３９−４４−１、６８０３９−４５−２、６８０３９−４７−４、６８０３９−４８−５、６８０３９−４９−６、６８０３９−６９−０、６８０３９−７３−６、６８０３９−７８−１、６８０７１−２３−８、６８０８３−５４−５、６８０８３−５５−６、６８０８３−５７−８、６８０８３−５８−９、６８０８４−０４−８、６８０９２−４１−１、６８１２９−８１−７、６８１３２−２１−８、６８１３２−８０−９、６８１３３−７２−２、６８１３３−７３−３、６８１３３−７４−４、６８１３３−７５−５、６８１３３−７６−６、６８１３３−７７−７、６８１３３−７８−８、６８１３３−７９−９、６８１４０−４８−７、６８１４０−５２−３、６８１４１−１１−７、６８１４１−１３−９、６８１４１−１４−０、６８１４１−１７−３、６８１４１−１８−４、６８１４１−１９−５、６８１４１−２０−８、６８１４１−２６−４、６８１４１−２７−５、６８１５３−０６−０、６８１５５−６６−８、６８１５５−６７−９、６８１８６−１４−１、６８１８８−９８−７、６８１９８−８０−１、６８２１３−８５−４、６８２１３−８６−５、６８２１３−８７−６、６８２１４−０６−２、６８２２８−０６−８、６８２２８−０９−１、６８２２８−１０−４、６８２２８−１１−５、６８２５８−９５−７、６８２５９−３１−４、６８２５９−３３−６、６８２９８−２８−２、６８２９８−３３−９、６８２９８−４８−６、６８３１０−５９−８、６８３１１−０５−７、６８３４５−１７−５、６８３４５−２２−２、６８３７８−１３−２、６８３９１−２９−７、６８３９１−３９−９、６８３９８−１６−３、６８３９８−１８−５、６８４１１−５９−６、６８４１２−０４−４、６８４１９−４６−５、６８４３３−８１−８、６８４５８−８６−６、６８４５９−９５−０、６８４５９−９９−４、６８４７８−３６−４、６８４７９−９９−２、６８４８０−０４−６、６８４８０−０５−７、６８４８０−０６−８、６８４８０−０７−９、６８４８０−０８−０、６８４８０−１０−４、６８４８０−１１−５、６８４８０−１２−６、６８４８０−１４−８、６８４８０−１５−９、６８４８０−１７−１、６８４８０−２１−７、６８４８０−２５−１、６８４８０−２６−２、６８４８０−２７−３、６８４８０−２８−４、６８５１６−１８−７、６８５２６−８３−０、６８５２６−８４−１、６８５２６−８５−２、６８５２６−８６−３、６８５２６−９０−９、６８５２７−０５−９、６８５２７−０６−０、６８５２７−７４−２、６８５２７−７６−４、６８５２７−７７−５、６８５２７−７８−６、６８５２７−７９−７、６８５２７−８２−２、６８５５３−８１−１、６８５５３−８１−１、６８５５５−２８−２、６８５５５−３１−７、６８５５５−５３−３、６８５５５−５７−７、６８５５５−５８−８、６８５５５−５９−９、６８５５５−６１−３、６８５５５−６２−４、６８５５５−６３−５、６８５５５−６４−６、６８５５５−６５−７、６８５５５−９４−２、６８５５５−９５−３、６８５８５−０９−１、６８６０２−８６−８、６８６０６−８１−５、６８６０６−８１−５、６８６０６−８１−５、６８６０６−８１−５、６８６０６−８１−５、６８６０６−８２−６、６８６０６−８３−７、６８６０６−８３−７、６８６０６−９４−０、６８６０６−９４−０、６８６０６−９７−３、６８６０６−９７−３、６８６０７−０１−２、６８６１１−２３−４、６８６４８−３３−９、６８６４８−３９−５、６８６５０−４３−１、６８６５０−４３−１、６８６５０−４４−２、６８６５０−４６−４、６８６８３−２０−５、６８６８３−２２−７、６８６８３−２５−０、６８６９８−５７−７、６８６９８−５９−９、６８７０５−６３−５、６８７３８−９４−３、６８７３８−９６−５、
６８７３８−９６−５、６８７３８−９９−８、６８７９７−６８−２、６８８０４−００−２、６８８０４−０２−４、６８８４４−９５−１、６８８４４−９６−２、６８８４４−９７−３、６８８４５−００−１、６８８４５−０１−２、６８８４５−０２−３、６８８４５−３３−０、６８８４５−３５−２、６８８４５−３６−３、６８８５５−３８−９、６８８５５−９９−２、６８８７７−２９−２、６８８９１−９５−２、６８９０１−１５−５、６８９０１−２２−４、６８９０１−３２−６、６８９０１−３２−６、６８９０７−１９−７、６８９０８−８２−７、６８９０９−０４−６、６８９１１−６０−４、６８９１１−６０−４、６８９１２−１３−０、６８９１５−８５−５、６８９１６−０２−９、６８９１６−０４−１、６８９１６−０４−１、６８９１６−０４−１、６８９１６−０４−１、６８９１６−０４−１、６８９１６−０５−２、６８９１６−０７−４、６８９１６−１８−７、６８９１６−１８−７、６８９１６−２６−７、６８９１６−２６−７、６８９１６−２６−７、６８９１６−２６−７、６８９１６−４５−０、６８９１６−４５−０、６８９１６−４６−１、６８９１６−５４−１、６８９１６−７６−７、６８９１６−７６−７、６８９１６−８４−７、６８９１６−８４−７、６８９１６−８４−７、６８９１６−８９−２、６８９１６−９１−６、６８９１７−０５−５、６８９１７−１０−２、６８９１７−１８−０、６８９１７−１８−０、６８９１７−１８−０、６８９１７−１８−０、６８９１７−２０−４、６８９１７−４６−４、６８９１７−５０−０、６８９１７−５２−２、６８９１７−５２−２、６８９１７−５２−２、６８９１７−６３−５、６８９１７−７５−９、６８９２１−２６−６、６８９２２−０９−８、６８９２２−１０−１、６８９２２−１１−２、６８９２２−１２−３、６８９２２−１３−４、６８９２８−６１−０、６８９３７−３１−５、６８９３７−８４−８、６８９３８−００−１、６８９５２−４３−２、６８９５２−４３−２、６８９５６−５６−９、６８９５６−６８−３、６８９５９−２８−４、６８９６６−８６−９、６８９８９−９１−３、６８９９０−１１−４、６８９９０−１１−４、６８９９０−１１−４、６８９９０−１１−４、６８９９０−１１−４、６８９９０−１５−８、６８９９０−１５−８、６８９９０−６６−９、６８９９１−２０−８、６８９９１−９５−７、６８９９１−９６−８、６８９９１−９７−９、６９０３８−７８−４、６９１０２−９６−１、６９１０３−０１−１、６９１０３−２０−４、６９１０３−２３−７、６９１０３−２４−８、６９１７８−４３−４、６９３００−１５−８、６９８３４−１０−２、６９８８２−０９−３、６９９２５−３３−３、６９９２９−１６−４、６９９２９−１７−５、７００９２−２３−８、７０１３１−５１−０、７０２１４−７７−６、７０７８８−３０−６、７０８５１−６０−４、７０８５１−６１−５、７０８９２−２０−５、７０８９２−６２−５、７０９５５−７１−４、７１０１１−２８−４、７１０４８−８２−３、７１０７７−３０−０、７１０７７−３１−１、７１０７８−３１−４、７１１５９−９０−５、７１１７２−２６−４、７１１７２−７５−３、７１２９８−４２−５、７１５００−３７−３、７１５６６−５３−５、７１６０５−８４−０、７１６０５−８５−１、７１６１７−０９−９、７１６１７−１１−３、７１６４８−１６−３、７１６４８−１８−５、７１６４８−３４−５、７１６４８−４３−６、７１６６２−１７−４、７１６６２−２５−４、７１６６２−２６−５、７１７３５−７９−０、７１８２０−５１−４、７１８３２−７６−３、７１８５０−７８−７、７１８５０−８０−１、７１９４９−３３−２、７１９９０−２２−２、７２００７−８１−９、７２０８９−０８−８、７２１７５−３３−８、７２１８３−７５−６、７２２１４−２３−４、７２２１４−３３−６、７２４０２−００−７、７２４０３−６７−９、７２４２９−０８−４、７２７７９−０６−７、７２７８５−１７−２、７２７９７−１７−２、７２８１２−４０−９、７２８４５−３３−１、７２８４５−８５−３、７２８５４−４２−３、７２８６９−３１−９、７２８６９−６９−３、７２８６９−７０−６、７２８８１−２７−７、７２８９４−０７−６、７２８９４−１１−２、７２８９４−１２−３、７２８９４−１３−４、７２８９４−１４−５、７２８９４−１５−６、７２９２８−３５−９、７２９２８−４５−１、７２９２８−４７−３、７２９２８−５１−９、７２９２８−５２−０、７２９３４−０６−６、７２９３４−０７−７、７２９３４−１６−８、７２９６８−２５−３、７２９６８−３０−０、７２９６８−４７−９、７２９６８−５０−４、７２９６８−５０−４、７２９６８−５０−４、７２９６８−５０−４、７２９６８−５０−４、７２９６８−５０−４、７２９６８−５０−４、７２９６８−６９−５、７２９８７−５９−８、７３００３−９１−５、７３０１８−５１−６、７３０１９−１４−４、７３０４９−５１−１、７３１３８−６６−６、７３２６３−３６−２、７３２９６−９８−７、７３２９６−９８−７、７３３４７−７７−０、７３３６０−６６−４、７３３９８−８５−３、７３５０７−３５−４、７３５４５−１８−３、７３５４５−１９−４、７３９５２−６８−８、７４０９４−６０−３、７４０９４−６１−４、７４０９４−６２−５、７４０９４−６３−６、７４１１３−７４−９、７４２９８−８９−８、７４３６７−９７−８、７４４９９−５８−４、７４４９９−６０−８、７４５８５−００−５、７４９１２−３７−１、７４９６２−９８−４、７５０３９−８４−８、７５０４８−１５−６、７５１４７−２３−８、７５４９０−３９−０、７５５８７−０６−３、７６２３８−２２−７、７６６４９−１４−４、７６６４９−１６−６、７６６４９−１７−７、７６６４９−２２−４、７６６４９−２３−５、７６６４９−２４−６、７６６４９−２５−７、７６６４９−２６−８、７６７８８−４６−０、７７１２９−４８−７、７７８５１−０７−１、７８４１７−２８−４、７８５４８−５３−５、７８６４９−６２−４、７８９８９−３７−４、７９８９３−６３−３、７９９１５−７４−５、７９９３０−３７−３、８０１１８−０６−５、８０１１８−１０−１、８０３１４−５８−５、８０４１７−９７−６、８０４８０−２４−６、８０６５７−６４−３、８０８５８−４７−５、８０８６６−８３−７、８１７８２−７７−６、８１７８２−８９−０、８１７８３−０１−９、８１７８６−７３−４、８１７８６−７４−５、８１７８６−７５−６、８１８３６−１３−７、８１８３６−１７−１、８１９２５−８１−７、８１９７４−６１−０、８２１８５−４１−９、８２３５６−５１−２、８２４６１−１４−１、８２６５４−９８−６、８２７８４−８４−７、８３３３４−９３−４、８３８４６−５５−３、８３８６３−２２−３、８３８６３−３０−３、８３８６３−３０−３、８３８６３−３０−３、８３８６３−３２−５、８３８６３−６４−３、８３９２６−７３−２、８３９８４−７６−３、８３９８４−７８−５、８４０１２−１４−６、８４０１２−１５−７、８４０１２−１５−７、８４０１２−１５−７、８４０１２−２１−５、８４０１２−２４−８、８４０１２−２４−８、８４０１２−２８−２、８４０１２−３０−６、８４０１２−３３−９、８４０１２−３３−９、８４０１２−３３−９、８４０１２−３４−０、８４０１２−３５−１、８４０１２−３５−１、８４０１２−３５−１、８４０１２−３５−１、８４０１２−３５−１、８４０１２−３５−１、８４０１２−３５−１、８４０１２−３９−５、８４０１２−４３−１、８４０１２−４４−２、８４０１２−４４−２、８４０１２−４４−２、８４０１２−６４−６、８４０２９−９０−３、８４０２９−９２−５、８４０２９−９３−６、８４０４１−８０−５、８４０６０−８０−０、８４０８２−３４−８、８４０８２−３６−０、８４０８２−３６−０、８４０８２−５４−２、８４０８２−５８−６、８４０８２−５８−６、８４０８２−５８−６、８４０８２−５８−６、８４０８２−５８−６、８４０８２−５８−６、８４０８２−６０−０、８４０８２−６０−０、８４０８２−６０−０、８４０８２−６０−０、８４０８２−６０−０、８４０８２−６１−１、８４０８２−６２−２、８４０８２−６７−７、８４０８２−６７−７、８４０８２−６７−７、８４０８２−６８−８、８４０８２−６８−８、８４０８２−６８−８、８４０８２−６８−８、８４０８２−６８−８、８４０８２−７０−２、８４０８２−７０−２、８４０８２−７０−２、８４０８２−７０−２、８４０８２−７０−２、８４０８２−７０−２、８４０８２−７９−１、８４０８２−７９−１、８４０８２−７９−１、８４０８２−７９−１、８４０８２−７９−１、８４０８２−７９−１、８４０８２−８０−４、８４０８２−８０−４、８４０８２−８０−４、８４０８２−８１−５、８４０８２−８１−５、８４０８２−８１−５、８４０８２−８１−５、８４０８２−８３−７、８４０８２−８３−７、８４０８２−８４−８、８４２３８−１９−７、８４２３８−２９−９、８４２３８−３９−１、８４２３８−３９−１、８４２３８−３９−１、８４２５４−８９−７、８４４３４−１８−４、８４４３４−２０−８、８４４３４−６４−０、８４４３４−６５−１、８４４５５−１９−６、８４４５５−１９−６、８４４５５−１９−６、８４４５５−１９−６、８４４５５−１９−６、８４４５５−２９−８、８４４５５−２９−８、８４５６０−００−９、８４６０３−５８−７、８４６０３−５８−７、８４６０３−５８−７、８４６０３−５８−７、８４６０３−５８−７、８４６０３−６０−１、８４６０３−６１−２、８４６０３−６２−３、８４６０３−６２−３、８４６０３−６６−７、８４６０３−６６−７、８４６０３−６６−７、８４６０３−６９−０、８４６０３−６９−０、８４６０３−６９−０、８４６０３−６９−０、８４６０３−６９−０、８４６０３−６９−０、８４６０３−７３−６、８４６０３−７３−６、８４６０３−７３−６、８４６０４−０７−９、８４６０４−０７−９、８４６０４−０７−９、８４６０４−０７−９、８４６０４−１２−６、８４６０４−１２−６、８４６０４−１２−６、８４６０４−１２−６、８４６０４−１２−６、８４６０４−１２−６、８４６０４−１２−６、８４６０４−１２−６、８４６０４−１２−６、８４６０４−１３−７、８４６０４−１３−７、８４６０４−１３−７、８４６０４−１３−７、８４６０４−１３−７、８４６０４−１４−８、８４６０４−１４−８、８４６０４−１４−８、８４６０４−１４−８、８４６０４−１４−８、８４６０４−１４−８、８４６０４−１４−８、８４６０４−１４−８、８４６０４−１４−８、８４６０４−１７−１、８４６２５−２６−３、８４６２５−２６−３、８４６２５−２９−６、８４６２５−３２−１、８４６２５−３２−１、８４６２５−３２−１、８４６２５−３６−５、８４６２５−３９−８、８４６２５−４０−１、８４６２５−４０−１、８４６２５−４０−１、８４６２５−４０−１、８４６２５−４０−１、８４６２５−４０−１、８４６４２−５７−９、８４６４２−６０−４、８４６４９−８１−０、８４６４９−８６−５、８４６４９−８６−５、８４６４９−８６−５、８４６４９−９３−４、８４６４９−９３−４、８４６４９−９３−４、８４６４９−９６−７、８４６４９−９６−７、８４６４９−９７−８、８４６４９−９７−８、８４６４９−９７−８、８４６４９−９８−９、８４６４９−９８−９、８４６４９−９８−９、８４６４９−９８−９、８４６４９−９９−０、８４６４９−９９−０、８４６４９−９９−０、８４６５０−００−０、８４６５０−００−０、８４６５０−００−０、８４６５０−００−０、８４６５０−００−０、８４６５０−００−０、８４６５０−
００−０、８４６５０−００−０、８４６５０−０５−５、８４６５０−１０−２、８４６５０−１１−３、８４６５０−１３−５、８４６５０−１３−５、８４６５０−１３−５、８４６５０−１３−５、８４６５０−３９−５、８４６５０−３９−５、８４６５０−５５−５、８４６５０−５９−９、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６３−５、８４６８１−９２−５、８４６８２−２０−２、８４６９５−９６−５、８４６９６−０５−９、８４６９６−０７−１、８４６９６−０７−１、８４６９６−０７−１、８４６９６−０７−１、８４６９６−０７−１、８４６９６−０７−１、８４６９６−１０−６、８４６９６−１３−９、８４６９６−１３−９、８４６９６−１３−９、８４６９６−１５−１、８４６９６−１５−１、８４６９６−１５−１、８４６９６−１５−１、８４６９６−１９−５、８４６９６−２４−２、８４６９６−２４−２、８４６９６−２７−５、８４６９６−２７−５、８４６９６−４７−９、８４６９６−５１−５、８４６９６−５１−５、８４６９６−５１−５、８４６９６−５１−５、８４６９６−５１−５、８４６９６−５３−７、８４６９７−０９−６、８４７１２−５０−５、８４７７５−３９−３、８４７７５−３９−３、８４７７５−３９−３、８４７７５−３９−３、８４７７５−３９−３、８４７７５−３９−３、８４７７５−４１−７、８４７７５−４１−７、８４７７５−４１−７、８４７７５−４１−７、８４７７５−４１−７、８４７７５−４１−７、８４７７５−４１−７、８４７７５−４２−８、８４７７５−４２−８、８４７７５−４５−１、８４７７５−４５−１、８４７７５−５０−８、８４７７５−５０−８、８４７７５−５０−８、８４７７５−５０−８、８４７７５−５０−８、８４７７５−５０−８、８４７７５−５１−９、８４７７５−５２−０、８４７７５−５２−０、８４７７５−５２−０、８４７７５−５３−１、８４７７５−６４−４、８４７７５−６４−４、８４７７５−６４−４、８４７７５−６６−６、８４７７５−６６−６、８４７７５−６６−６、８４７７５−６６−６、８４７７５−６６−６、８４７７５−６６−６、８４７７５−６６−６、８４７７５−７０−２、８４７７５−７０−２、８４７７５−７０−２、８４７７５−７０−２、８４７７５−７０−２、８４７７５−７０−２、８４７７５−７０−２、８４７７５−７０−２、８４７７５−７０−２、８４７７５−７０−２、８４７７５−７１−３、８４７７５−７１−３、８４７７５−７１−３、８４７７５−７１−３、８４７７５−７１−３、８４７７５−７３−５、８４７７５−７４−６、８４７７５−７４−６、８４７７５−７４−６、８４７７５−７４−６、８４７７５−７４−６、８４７７５−７４−６、８４７７５−８０−４、８４７７５−８０−４、８４７７５−８３−７、８４７７５−８３−７、８４７７５−８３−７、８４７７５−８３−７、８４７７５−８３−７、８４７７５−８３−７、８４７７５−９６−２、８４７７５−９８−４、８４７７６−１０−３、８４７７６−２３−８、８４７７６−２３−８、８４７７６−２３−８、８４７７６−６４−７、８４７７６−６４−７、８４７７６−６５−８、８４７７６−６７−０、８４７７６−９８−７、８４７７６−９８−７、８４７７６−９８−７、８４７７６−９８−７、８４７７６−９８−７、８４７７６−９８−７、８４７７６−９８−７、８４７８７−６９−９、８４７８７−６９−９、８４７８７−７０−２、８４７８７−７０−２、８４７８７−７０−２、８４７８８−０８−９、８４８３６−９４−２、８４８３６−９９−７、８４８３７−０４−７、８４８３７−０６−９、８４８３７−０６−９、８４８３７−０６−９、８４８３７−０８−１、８４８３７−１４−９、８４９２９−１９−１、８４９２９−１９−１、８４９２９−２６−０、８４９２９−２６−０、８４９２９−２６−０、８４９２９−２６−０、８４９２９−２７−１、８４９２９−２８−２、８４９２９−３１−７、８４９２９−３１−７、８４９２９−３１−７、８４９２９−３１−７、８４９２９−３１−７、８４９２９−３５−１、８４９２９−３８−４、８４９２９−３８−４、８４９２９−３８−４、８４９２９−４１−９、８４９２９−４１−９、８４９２９−４７−５、８４９２９−４７−５、８４９２９−４７−５、８４９２９−５１−１、８４９２９−５１−１、８４９２９−５１−１、８４９２９−５１−１、８４９２９−５１−１、８４９２９−５２−２、８４９２９−５２−２、８４９２９−５７−７、８４９２９−６１−３、８４９２９−６１−３、８４９２９−６１−３、８４９２９−６１−３、８４９２９−６１−３、８４９２９−７６−０、８４９２９−７６−０、８４９２９−７８−２、８４９２９−７８−２、８４９２９−７８−２、８４９２９−７９−３、８４９２９−７９−３、８４９６１−４５−５、８４９６１−４５−５、８４９６１−４５−５、８４９６１−４５−５、８４９６１−４５−５、８４９６１−４５−５、８４９６１−４６−６、８４９６１−４６−６、８４９６１−４６−６、８４９６１−４６−６、８４９６１−４６−６、８４９６１−４６−６、８４９６１−４９−９、８４９６１−４９−９、８４９６１−４９−９、８４９６１−５０−２、８４９６１−５０−２、８４９６１−５０−２、８４９６１−５０−２、８４９６１−５０−２、８４９６１−５０−２、８４９６１−５７−９、８４９６１−５７−９、８４９６１−６２−６、８４９６１−６２−６、８４９６１−６４−８、８４９６１−６４−８、８４９６１−６４−８、８４９６１−６４−８、８４９６１−６４−８、８４９６１−６４−８、８４９６１−６６−０、８４９６１−６６−０、８４９６１−６７−１、８４９６１−６７−１、８４９６１−６７−１、８４９６１−６７−１、８４９８８−６６−９、８４９８８−６６−９、８４９８８−６６−９、８４９８８−８７−４、８５０８５−２９−６、８５０８５−２９−６、８５０８５−３４−３、８５０８５−３４−３、８５０８５−４１−２、８５０８５−４３−４、８５０８５−４６−７、８５０８５−４７−８、８５０８５−４８−９、８５０８５−４８−９、８５０８５−４８−９、８５０８５−４９−０、８５０８５−４９−０、８５０８５−５４−７、８５０８５−６１−６、８５０８５−６８−３、８５０８５−６９−４、８５０８５−７５−２、８５０８５−７５−２、８５０８５−７５−２、８５０８５−７５−２、８５０８５−７６−３、８５０８５−７６−３、８５１１６−６３−８、８５１３６−０５−６、８５１３６−０６−７、８５１３６−０７−８、８５１３６−０８−９、８５１３６−１０−３、８５１８０−６６−１、８５２０３−５６−１、８５２０３−５６−１、８５２３２−７６−４、８５２５１−６３−４、８５２５１−６３−４、８５２５１−６６−７、８５２５１−６７−８、８５２５１−６７−８、８５３５１−０７−１、８５４０９−３６−５、８５４８０−３２−６、８５４８０−３３−７、８５４８０−３３−７、８５４８０−３３−７、８５４８０−３７−１、８５４８０−３７−１、８５４８０−３７−１、８５４８０−４７−３、８５５０７−６９−３、８５５０７−６９−３、８５５０８−０８−３、８５５３６−２５−０、８５５５４−６４−９、８５５５４−６９−４、８５５５４−７２−９、８５５８６−６６−９、８５５８６−６７−０、８５６６５−３５−６、８５９４０−２９−０、８５９４０−２９−０、８５９４０−３１−４、８５９４０−３１−４、８５９４０−３１−４、８５９４０−３２−５、８５９４０−３２−５、８５９４０−３２−５、８５９４０−３８−１、８５９６０−８１−２、８６１１５−１１−９、８６１９８−３５−８、８７０６１−０４−９、８７１１８−９５−４、８７６４１−２４−５、８７７３１−１８−８、８９９５７−４４−８、８９９５７−６３−１、８９９５７−９１−５、８９９５７−９１−５、８９９５７−９１−５、８９９５７−９１−５、８９９５７−９１−５、８９９５７−９３−７、８９９５７−９７−１、８９９５７−９８−２、８９９５７−９８−２、８９９５７−９８−２、８９９５７−９９−３、８９９５７−９９−３、８９９５８−１０−１、８９９５８−２９−２、８９９５８−２９−２、８９９５８−２９−２、８９９５８−３０−５、８９９５８−３１−６、８９９５８−３１−６、８９９９７−３３−１、８９９９７−３４−２、８９９９７−３４−２、８９９９７−３４−２、８９９９７−３５−３、８９９９７−３５−３、８９９９７−３５−３、８９９９７−３５−３、８９９９７−３５−３、８９９９７−４７−７、８９９９７−５３−５、８９９９７−５６−８、８９９９７−５６−８、８９９９７−６３−７、８９９９７−７４−０、８９９９７−７４−０、８９９９７−７４−０、８９９９７−７４−０、８９９９７−８８−６、８９９９７−８８−６、８９９９７−９６−６、８９９９８−０１−６、８９９９８−１４−１、８９９９８−１４−１、８９９９８−１４−１、８９９９８−１４−１、８９９９８−１４−１、８９９９８−１４−１、８９９９８−１５−２、８９９９８−１６−３、９００２８−０３−８、９００２８−０３−８、９００２８−０３−８、９００２８−０６−１、９００２８−３６−７、９００２８−３６−７、９００２８−３８−９、９００２８−４８−１、９００２８−４８−１、９００２８−６７−４、９００２８−６７−４、９００２８−６８−５、９００２８−６８−５、９００２８−７０−９、９００２８−７０−９、９００２８−７６−５、９００２８−７６−５、９００２８−７６−５、９００２８−７６−５、９００２８−８３−４、９００２８−８３−４、９００４５−２８−６、９００４５−３６−６、９００４５−３８−８、９００４５−４３−５、９００４５−４３−５、９００４５−４３−５、９００４５−４３−５、９００４５−４３−５、９００４５−４３−５、９００４５−４３−５、９００４５−４３−５、９００４５−４３−５、９００４５−４６−８、９００４５−５３−７、９００４５−５６−０、９００４５−５６−０、９００４５−５６−０、９００４５−６２−８、９００４５−８９−９、９００４５−８９−９、９００４５−８９−９、９００４５−８９−９、９００４５−９０−２、９００４５−９０−２、９００４５−９１−３、９００４５−９４−６、９００４５−９４−６、９００４５−９４−６、９００４６−０２−９、９００４６−０２−９、９００４６−０２−９、９００４６−０２−９、９００４６−０２−９、９００４６−０３−０、９００４６−１７−６、９００４６−１７−６、９００４６−１７−６、９００４６−１７−６、９００４６−１７−６、９００６３−３７−９、９００６３−３７−９、９００６３−３７−９、９００６３−３７−９、９００６３−３７−９、９００６３−３７−９、９００６３−３７−９、９００６３−３７−９、９００６３−３７−９、９００６３−３８−０、９００６３−５２−８、９００６３−５２−８、９００６３−５２−８、９００６３−５３−９、９００６３−５３−９、９００６３−５５−１、９００６３−５６−２、９００６３−５９−５、９００６３−６３−１、９００６３−６３−１、９００６３−６３−１、９００６３−６３−１、９００６３−６３−１、９００６３−８５−７、９００６３−８６−８、９００６３−９７−１、９００６３−９７−１、９００６４−００−９、９００６４−００−９、９００６４−０９−８、９００６４−２４−７、９００６４−２５−８、９００６４−２５−８、９
００６４−２６−９、９００６４−２６−９、９００６４−２７−０、９００６４−２８−１、９００６４−３２−７、９００６４−３２−７、９００６４−３２−７、９００６４−３４−９、９００６４−３４−９、９００６４−３４−９、９００６４−３５−０、９００８２−１３−６、９００８２−１３−６、９００８２−２３−８、９００８２−２６−１、９００８２−４３−２、９００８２−４３−２、９００８２−４３−２、９００８２−４５−４、９００８２−４６−５、９００８２−４６−５、９００８２−４６−５、９００８２−４６−５、９００８２−５１−２、９００８２−５１−２、９００８２−５１−２、９００８２−５１−２、９００８２−５１−２、９００８２−５５−６、９００８２−５５−６、９００８２−５５−６、９００８２−５５−６、９００８２−５９−０、９００８２−６０−３、９００８２−６０−３、９００８２−６０−３、９００８２−６０−３、９００８２−６１−４、９００８２−６１−４、９００８２−７２−７、９００８２−７３−８、９００８２−７４−９、９００８２−７４−９、９００８２−７５−０、９００８２−７５−０、９００８２−７７−２、９００８２−７７−２、９００８２−８２−９、９００８２−８２−９、９０１０６−０３−９、９０１０６−０３−９、９０１０６−２１−１、９０１０６−３８−０、９０１０６−３８−０、９０１０６−３８−０、９０１０６−３８−０、９０１０６−４９−３、９０１０６−４９−３、９０１０６−４９−３、９０１０６−５４−０、９０１０６−６８−６、９０１３１−１０−５、９０１３１−１０−５、９０１３１−２１−８、９０１３１−２４−１、９０１３１−２５−２、９０１３１−３６−５、９０１３１−４３−４、９０１３１−４５−６、９０１３１−４５−６、９０１３１−５８−１、９０１３１−５８−１、９０１３１−５８−１、９０１３１−５９−２、９０１３１−６３−８、９０１３１−６３−８、９０１３１−６３−８、９０１３１−８３−２、９０１３１−８３−２、９０１３１−８９−８、９０１４７−３６−７、９０１４７−３６−７、９０１４７−３６−７、９０１４７−３６−７、９０１４７−３６−７、９０１４７−３６−７、９０１４７−３６−７、９０２４４−８９−６、９０２４４−９９−８、９０３２０−３５−７、９０３２０−３５−７、９０３２０−３７−９、９０３２０−４２−６、９０３２０−４２−６、９０３２０−４９−３、９０３９７−３８−９、９０４１１−７３−７、９０４８０−３５−６、９０４８０−４０−３、９０５３０−０４−４、９０６０４−３０−１、９０６２２−５７−４、９０６２２−５８−５、９０６２２−７２−３、９０９８９−９５−０、９０９９０−０４−８、９１０５２−９２−５、９１０５３−３１−５、９１０５３−４０−６、９１０７８−９３−２、９１０７９−３３−３、９１０８０−２３−８、９１０８２−９１−６、９１６７２−２３−０、９１６９７−８９−１、９１７２１−７５−４、９１７２１−７５−４、９１７２１−９８−１、９１７２１−９８−１、９１７２２−１８−８、９１７２２−１８−８、９１７２２−１８−８、９１７２２−１９−９、９１７２２−１９−９、９１７２２−１９−９、９１７２２−２９−１、９１７２２−２９−１、９１７２２−３９−３、９１７２２−３９−３、９１７２２−４７−３、９１７２２−５４−２、９１７２２−５４−２、９１７２２−５８−６、９１７２２−５８−６、９１７２２−６１−１、９１７２２−６１−１、９１７２２−６２−２、９１７２２−６５−５、９１７２２−６６−６、９１７２２−６９−９、９１７２２−６９−９、９１７２２−６９−９、９１７２２−８１−５、９１７２２−８３−７、９１７２２−８３−７、９１７２２−８４−８、９１７２２−８４−８、９１７２２−８７−１、９１７２２−８７−１、９１７２２−８７−１、９１７２２−８９−３、９１７２２−９１−７、９１７２２−９３−９、９１７２３−４０−９、９１７４５−６４−１、９１７４５−８５−６、９１７４５−８５−６、９１７４５−８８−９、９１７４５−８９−０、９１７４５−８９−０、９１７４５−８９−０、９１７４５−８９−０、９１７４５−９７−０、９１７４５−９７−０、９１７７０−１１−５、９１７７０−１２−６、９１７７０−１２−６、９１７７０−１４−８、９１７７０−１４−８、９１７７０−１４−８、９１７７０−１４−８、９１７７０−１７−８、９１７７０−２４−０、９１７７０−３８−６、９１７７０−３８−６、９１７７０−３８−６、９１７７０−４７−７、９１７７０−４８−８、９１７７０−４８−８、９１７７０−５６−８、９１７７０−５６−８、９１７７０−５６−８、９１７７０−５６−８、９１７７０−６８−２、９１７７０−６８−２、９１７７０−６９−３、９１７７０−７５−１、９１７７０−７５−１、９１７７０−８３−１、９１７７０−８３−１、９１７７０−８３−１、９１７７０−８８−６、９１７７０−８８−６、９１７７１−３６−７、９１７７１−３６−７、９１７７１−３６−７、９１７７１−４０−３、９１７７１−４７−０、９１７７１−４７−０、９１７７１−４８−１、９１７７１−４８−１、９１７７１−４８−１、９１７７１−４８−１、９１７７１−４８−１、９１７７１−５０−５、９１７７１−５０−５、９１７７１−５０−５、９１７７１−５０−５、９１７７１−５２−７、９１７７１−６０−７、９１７７１−６０−７、９１７７１−６１−８、９１７７１−６２−９、９１７７１−６２−９、９１７７１−６５−２、９１７７１−６７−４、９１７７１−６８−５、９１７７１−６８−５、９１７７１−６９−６、９１８４４−８６−９、９１８４４−８６−９、９１８４４−９２−７、９１８４４−９２−７、９１８４５−２２−６、９１８４５−２２−６、９１８４５−２２−６、９１８４５−２６−０、９１８４５−２６−０、９１８４５−３５−１、９１８４５−４８−６、９１８４５−４８−６、９１８４５−４８−６、９１８４５−５３−３、９１８４５−５４−４、９２０１５−６５−１、９２１１３−０９−２、９２１１３−３９−８、９２１２８−３４−２、９２１２８−３４−２、９２１２８−６２−６、９２１２８−６２−６、９２２０１−４８−４、９２２０１−５０−８、９２２０１−５０−８、９２２０１−５５−３、９２２０１−５５−３、９２２０１−５５−３、９２２０１−５５−３、９２２０１−５６−４、９２２０１−６４−４、９２２０１−６４−４、９２２０１−７４−６、９２２０１−９６−２、９２２０２−０２−３、９２２０２−０２−３、９２２０２−０４−５、９２２０２−０４−５、９２３４６−８２−２、９２３４６−８５−５、９２３４６−８５−５、９２３４６−８９−９、９２３４６−８９−９、９２３４６−８９−９、９２３４６−８９−９、９２３４６−８９−９、９２３４６−８９−９、９２３４６−８９−９、９２３４６−８９−９、９２３４７−０２−９、９２３４７−０２−９、９２３４７−０５−２、９２３４７−０５−２、９２３４７−０５−２、９２３４７−０９−６、９２３４７−１３−２、９２３４７−１３−２、９２３４７−２１−２、９２３４７−２５−６、９２３４７−２５−６、９２３６８−９０−６、９２４５６−６３−８、９２４５６−６３−８、９２４５６−８２−１、９２４５７−１６−４、９２４５７−１８−６、９２４５７−１８−６、９２５０２−７１−１、９２５８５−２４−５、９２６２３−７５−１、９２６２３−７６−２、９２６２３−７６−２、９２６２３−７６−２、９２７０４−０１−３、９２７０４−０１−３、９２７０４−０３−５、９２７０４−０３−５、９２７０４−０３−５、９２７０４−０３−５、９２７０４−０３−５、９２７０４−０３−５、９２７０４−０７−９、９２７２９−５５−０、９２８７４−９６−９、９２８７５−０２−０、９２９０８−２９−７、９３０６２−６４−７、９３０６２−８９−６、９３１６５−００−５、９３１６５−００−５、９３１６５−１１−８、９３１６５−１１−８、９３１６５−１８−５、９３１６５−２２−１、９３１６５−２２−１、９３１６５−４０−３、９３１６５−４０−３、９３１６５−４０−３、９３１６５−４０−３、９３１６５−５０−５、９３１６５−５０−５、９３３３４−４８−６、９３３３４−４８−６、９３３３４−５６−６、９３３４８−１４−２、９３３４８−３１−３、９３３４８−４９−３、９３３８４−２８−２、９３３８４−３２−８、９３３８４−３２−８、９３３８４−４０−８、９３３８４−４０−８、９３４５５−９５−９、９３４５５−９５−９、９３４５５−９６−０、９３４５５−９７−１、９３５７２−６４−６、９３６８５−３４−８、９３６８５−５５−３、９３６８５−５５−３、９３６８５−７３−５、９３６８５−７３−５、９３６８５−８８−２、９３６８５−８８−２、９３６８５−９６−２、９３６８５−９６−２、９３６８６−００−１、９３６８６−２２−７、９３６８６−２２−７、９３６８６−３０−７、９３７６２−３４−６、９３７６３−９５−２、９３７７７−４１−４、９３８０４−６４−９、９３８０４−８１−０、９３８０５−２２−２、９３８０５−７２−２、９３８４０−９０−５、９３８４３−１３−１、９３８５７−９３−３、９３８８２−２２−５、９３８９２−０３−６、９３８９２−０４−７、９３８９２−０５−８、９３８９２−０７−０、９３８９３−８９−１、９３８９４−３０−５、９３９０４−５６−４、９３９１７−６７−０、９３９１９−０４−１、９３９３９−８６−７、９３９４１−６７−４、９３９４１−６９−６、９３９４１−７３−２、９３９４２−００−８、９３９５２−５８−０、９３９６３−７８−１、９３９８１−５０−１、９３９８１−５９−０、９３９８１−６３−６、９４０２１−４２−８、９４０２１−６０−０、９４０２２−０１−２、９４０２２−０２−３、９４０２２−０６−７、９４０２２−０７−８、９４０７１−１２−２、９４０８７−２３−７、９４０８７−８３−９、９４０８９−０１−７、９４０８９−２１−１、９４０８９−２３−３、９４１０８−０９−５、９４１０９−９７−４、９４１３３−９２−３、９４１３４−０３−９、９４１５９−３１−６、９４１５９−３２−７、９４１６０−１２−０、９４１６７−１４−３、９４２００−１０−９、９４２００−１１−０、９４２０１−１９−１、９４２０１−２８−２、９４２０１−７３−７、９４２４８−２１−２、９４２４８−３８−１、９４２６５−９７−１、９４２６５−９８−２、９４２６５−９９−３、９４２６６−４３−０、９４２６６−４５−２、９４２６６−４７−４、９４２６６−４７−４、９４２６６−４８−５、９４２６６−４８−５、９４２６６−４８−５、９４２６６−４８−５、９４２７８−３９−４、９４２７９−８２−０、９４２７９−８４−２、９４２８０−１５−６、９４２９１−５０−６、９４３３３−５０−３、９４３３３−６９−４、９４３３３−７３−０、９４３３３−７５−２、９４３３３−７７−４、９４３３３−７８−５、９４３３３−８８−７、９４３３３−９１−２、９４３３３−９１−２、９４３３３−９３−４、９４３３３−９６−７、９４３３３−９９−０、９４３３３−９９−０、９４３３３−９９−０、９４３３３−９９−０、９４３３３−９９−０、９４３３４−０２−８、９４３３４−０４−０、９４３３４−０６−２、９４３３４−１１−９、９４３３４−１２−０、９４３３４−１３−１、９４３３４−１４−２、９４３３４−２５−５、９４３３４−２６−６、９４３３４−３２−４、９４３３４−３２−４、９４３３４−３５−７、９４３３４−３５−７、９４３３４−３５−７、９４３３４−５３−９、９４３４９−７３−２、９４３５０−０２−４、９４３５０−０２−４、９４３５０−０２−４、９４３５０−０２−４、９４３５０−０９−１、９４３５０−０９−１、９４３８６−３９−７、９４３８６−４８−８、９４４０６−０１−６、９４４０６−１５−２、９４４６５−７６−６、９４８９１−２
５−５、９４８９１−２７−７、９４８９１−２７−７、９４８９１−２７−７、９４８９１−２７−７、９４８９１−２７−７、９４８９１−２８−８、９５００９−４６−４、９５００９−４６−４、９６５０７−９１−４、９６５０７−９１−４、９６６８２−１０−９、９７２３１−３５−１、９７２８１−５５−５、９７３５８−５４−８、９７３５８−５５−９、９７３８４−４８−０、９７４０４−５３−０、９７４０４−５３−０、９７４３５−１４−８、９７４３５−１４−８、９７５５３−３６−１、９７５５３−３７−２、９７５９３−０６−１、９７５９３−２９−８、９７５９３−５１−６、９７６５９−５５−７、９７６５９−６８−２、９７６５９−７０−６、９７６５９−７０−６、９７６６０−０７−６、９７６６０−０７−６、９７６７５−６３−３、９７６７５−６８−８、９７６７５−７４−６、９７６７６−０５−６、９７６７６−０５−６、９７６７６−０５−６、９７６７６−０５−６、９７６７６−０５−６、９７６７６−０９−０、９７６７６−１３−６、９７６７６−１９−２、９７６７６−２２−７、９７６７６−２２−７、９７６７６−２２−７、９７６７６−２２−７、９７７２２−１２−８、９７７２２−１２−８、９７７２２−１２−８、９７７５２−２８−８、９７７６６−３０−８、９７７６６−３０−８、９７７６６−３０−８、９７７６６−３０−８、９７７６６−３０−８、９７９２６−１９−７、９７９２６−２３−３、９７９２６−４１−５、９７９２６−４１−５、９７９２６−７４−４、９７９２６−８４−６、９７９２７−０２−１、９７９５２−６１−９、９７９５２−７１−１、９７９５２−７２−２、９７９５２−７２−２、９７９５２−７２−２、９７９５２−７２−２、９７９５２−７２−２、９７９５２−７２−２、９７９５２−７２−２、９７９５２−７２−２、９８０８４−７９−８、９８３０６−０２−６、９８３１４−９８−８、９８５６１−４４−５、９８５６１−４４−５、９８６５３−８１−７、９８６５３−８１−７、９８６５３−８１−７、９８９０３−７６−５、９８９０３−７６−５、９９０９８−３５−８、９９８１１−７５−３、９９８８６−２７−８、９９９４８−８８−６、１０００８４−９６−６、１００２０９−２３−２、１００２０９−３２−３、１００２０９−３３−４、１００２９８−９５−１、１０１４２６−３１−７、１０２２４２−６２−６、１０２３２２−８３−８、１０３６９４−６８−４、１０４４６８−２１−５、１０４９８６−２８−９、１０６２３２−８３−１、１１１８５０−００−１、１１１８７９−８０−２、１１３４８６−２９−６、１１４０９９−９６−６、１１４１１９−９７−０、１１５４２２−５９−８、１１６９６３−９７−４、１１８５６２−７３−５、１２１１９９−２８−８、１２１４３２−３３−５、１２２７６０−８４−３、１２２７６０−８５−４、１２２７９５−４１−９、１２２８６１−７８−３、１２５１０９−８５−５、１２５３５２−０６−９、１２７２４８−８４−４、１２７９３１−２１−９、１２８１１９−７０−０、１２８４８９−０４−３、１２９３１６−６５−０、１３１７６６−７３−９、１３１８１２−６７−４、１３４１２３−９３−６、１３６９５４−２０−６、１３６９５４−２５−１、１３９５０４−６８−０、１３９５３９−６６−５、１３９５６４−４２−４、１４１７７３−７３−１、１４２６５３−６１−０、１５３１７５−５７−６、１５４１７１−７６−３、１５６４７２−９４−５、１６３２６６−１７−９、１６５１９１−９１−３、１６６３０１−２１−９、１６９０５４−６９−７、１７０６７８−４９−６、１８０９６４−４７−０、１８８４１７−２６−７、１８８５７０−７８−７、１９６１０９−１８−９、１９８４０４−９８−７、２０３７１９−５３−３、２０３７１９−５４−４、２０７８０１−３２−９、２１１２４１−６８−８、２１１３２３−０５−６、２２０６２１−２２−７、２２３７４９−０５−１、２３３６６５−９０−２、２３３６６５−９６−８、２３３６６６−０４−１、２５３５９６−７０−２、２９２６０５−０５−１、３２４７４２−９６−３、３３８７３５−７１−０、３６５４１１−５０−３、４０００５２−４９−５、４３７７７０−２８−０、４４４０８５−４２−１、４７８６９５−７０−４、４７９５４７−５７−４、６４８４３４−５５−３、７２３７５９−６２−４、８３１２１３−７２−０、８５０３０９−４５−４、８５１７６８−５１−９、８５２９９７−２８−５、８７１４６５−４９−５、８８８０２１−８２−７、８９１７８１−９０−１、８９６４４７−１３−５、９２３５９３−５６−０、９２３５９３−５７−１、９２９１１６−０８−５、９３０５８７−７６−１、９７７０１７−８１−４、９７７０１７−８２−５、９７７０１８−５３−３、９７７０２９−６６−５、９７７０２９−６８−７、９７７０６０−６６−４、９７７０７５−２３−２、９７７０９１−８３−０、９７７１８５−２９−７、９８４６５０−６３−５、１０４８０２８−７７−８、１０４８０２８−７７−８、１０６４６７８−０８−５、１１７４３３１−４６−４、１１９２７３８−４８−９、および１２７１４８８−６６−４から成る群から選択されるＣＡＳ番号を有する、１種または複数種の物質を含み得る。
【００９６】
本明細書で使用される場合、「約」という用語は、±１０％を指す。
【００９７】
「例示的な」という語は、本明細書では、「例、事例、または例示としての役割を果たす」ことを意味するように使用される。「例示的」であるとして記載されるどのような実施形態も、必ずしも他の実施形態よりも好ましいかもしくは有利なものとして解釈されるべきではなく、かつ／または、他の実施形態からの特徴の組み込みを除外するものではない。
【００９８】
「任意選択で」という語は、本明細書では、「ある実施形態では提供されるが他の実施形態では提供されない」ことを意味するように使用される。本発明のいずれの特定の実施形態も、複数の「任意選択の」特徴を、そのような特徴が対立しない限り含み得る。
【００９９】
「ｃｏｍｐｒｉｓｅｓ（備える、含む）」「ｃｏｍｐｒｉｓｉｎｇ（備える、含む）」「ｉｎｃｌｕｄｅｓ（含む）」「ｉｎｃｌｕｄｉｎｇ（含む）」「ｈａｖｉｎｇ（有する）」という用語、およびこれらの活用形は、「含んでいるが限定はされない」ことを意味する。
【０１００】
「から成る」という用語は、「含んでおりかつ限定される」ことを意味する。
【０１０１】
「から本質的に成る」という用語は、組成、方法、または構造が、追加の原料、ステップ、および／または部分を含み得るが、ただしその追加の原料、ステップ、および／または部分が、特許請求される組成、方法、または構造の基本的かつ新規な特徴を実質的に変えない場合に限られることを意味する。
【０１０２】
本明細書で使用される場合、単数形の「１つの（ａ）」、「１つの（ａｎ）」、および「その（ｔｈｅ）」は、そうではないと文脈が明白に規定しない限りは、複数の言及対象を含む。たとえば、「１つの化合物」または「少なくとも１つの化合物」という用語は、これらの混合物を含め、複数の化合物を含み得る。
【０１０３】
本出願の全体にわたって、本発明の様々な実施形態が、範囲フォーマットで提示される場合がある。範囲フォーマットでの記載は、単に便利さおよび簡潔さのためであり、本発明の範囲に対する融通の利かない限定として解釈されるべきではないことが、理解されるべきである。したがって、範囲の記載は、全ての可能な下位範囲ならびにその範囲内の個々の数値を具体的に開示しているものと見なされるべきである。たとえば、１から６までのような範囲の記載は、１から３まで、１から４まで、１から５まで、２から４まで、２から６まで、３から６まで、等のような下位範囲、ならびに、その範囲内の個々の数、たとえば１、２、３、４、５、および６を、具体的に開示しているものと見なされるべきである。これは範囲の幅に関係なく適用される。
【０１０４】
本明細書において数の範囲が示される場合はいつでも、示された範囲内の任意の引用された数（分数または整数）を含むことを意図している。第１の示された数と第２の示された数との「間の範囲の／範囲である」という句、および第１の示された数「から」第２の示された数「までの範囲の／範囲である」という句は、本明細書では交換可能に使用され、第１および第２の示された数ならびにこれらの間の全ての分数および整数を含むことを意図している。
【０１０５】
明瞭さのために別個の実施形態の文脈で記載される本発明の特定の特徴を、単一の実施形態において組み合わせて提供してもよいことが諒解される。逆に、簡潔さのために単一の実施形態の文脈で記載される本発明の様々な特徴を、個別に、または任意の好適な下位組み合わせで、または本発明の任意の他の記載される実施形態において好適であるように、提供してもよい。様々な実施形態の文脈で記載される特定の特徴は、これらの要素がなければその実施形態が機能しないのでない限りは、これらの実施形態の必須の特徴と見なされるべきではない。
【０１０６】
本発明についてその具体的な実施形態と併せて記載してきたが、多くの代替形態、修正形態、および変形形態が当業者には明らかであることは明白である。したがって、付属の特許請求の範囲の精神および広い範囲の中にある、全てのそのような代替形態、修正形態、および変形形態を包含することが意図されている。
【０１０７】
本明細書において言及した全ての刊行物、特許、および特許出願は、個々の刊行物、特許、または特許出願が参照により本明細書に組み込まれることが具体的にかつ個々に示されていた場合と同じ程度まで、それらの全体が参照により本明細書に組み込まれる。加えて、本出願における任意の参考文献の引用または特定は、そのような参考文献が本発明に対する先行技術として利用可能であることを認めるものとして解釈されるものではない。項目見出しが使用される限りにおいて、これらは必然的に限定的であると解釈されるべきではない。
【図１Ａ】
0006777295.tif 000002
【図１Ｂ】
0006777295.tif 000003
【図２】
0006777295.tif 000004
【図３Ａ】
0006777295.tif 000005
【図３Ｂ】
0006777295.tif 000006
【図３Ｃ】
0006777295.tif 000007
【図３Ｄ】
0006777295.tif 000008
【図３Ｅ】
0006777295.tif 000009
【図３Ｆ】
0006777295.tif 000010
【図３Ｇ】
0006777295.tif 000011
【図３Ｈ】
0006777295.tif 000012